(57)【要約】  本発明は、画像処理分野に属し、画像削除方法、画像削除装置、プログラム及び記録媒体を提供する。前記画像削除方法は、フルスクリーンで画像を表示する場合、スクリーン上に前記スクリーンより面積が小さい第一のプロンプトボックスを設定し、前記スクリーンが所定の軌跡でタッチされる時に生成される縮小操作信号を受信して、前記スクリーン上に表示の画像を縮小させ、画像が第一のプロンプトボックスの内に縮小され且つ削除条件を満たした場合、画像を削除することを含む。画像が、設定した第一のプロンプトボックスの内に縮小され且つ削除条件を満たした場合、該画像を削除することによって、画像を削除する場合、クリックする必要のあるボタンが多すぎ且つ各クリックの位置も異なることで生じた、操作が非常に煩瑣となる技術課題を解決でき、極大的に操作の難度を低下させ、削除操作が簡単になり、操作し易いという効果を奏する。【選択図】図１
2017500677.tif 000002
【特許請求の範囲】
【請求項１】
フルスクリーンで画像を表示する場合、スクリーン上に前記スクリーンより面積が小さい第一のプロンプトボックスを設定し、
前記スクリーンが所定の軌跡でタッチされる時に生成される縮小操作信号を受信して、前記スクリーン上に表示の画像を縮小させ、
前記画像が前記第一のプロンプトボックス内に入るまで縮小され且つ削除条件を満たす場合、前記画像を削除する
ことを特徴とする画像削除方法。
【請求項２】
前記スクリーン上に前記第一のプロンプトボックスを設定する場合、前記スクリーン上に、前記第一のプロンプトボックスより大きく、且つ前記第一のプロンプトボックスとは同心である第二のプロンプトボックスを設定し、
前記画像が前記縮小操作信号に基づいて縮小された後に、前記第二のプロンプトボックスの内に位置し且つ前記第一のプロンプトボックスの外に位置する場合、前記画像が前記削除条件を満たすか否かを検出し、
前記画像が前記削除条件を満たしたことを検出した場合、前記画像を削除するか否かの選択をユーザに提示するための提示情報を表示し、
前記画像が前記削除条件を満たしていないことを検出した場合、前記スクリーン上に表示の画像を縮小することを継続的に実行することを更に含むことを特徴とする請求項１に記載の画像削除方法。
【請求項３】
前記画像が前記第一のプロンプトボックスの外に位置する場合、前記画像の属性を通常態に設定し、第一の表示効果で前記画像を表示し、
前記画像が前記第一のプロンプトボックスの内に縮小された場合、前記画像の属性を削除態に更新し、第二の表示効果で前記画像を表示することを更に含み、
前記通常態は、属性が前記通常態である画像が削除禁止されることを指示するものであり、
前記削除態は、属性が前記削除態である画像が前記削除条件を満たす場合に直接削除されることを指示するものである、
ことを特徴とする請求項１に記載の画像削除方法。
【請求項４】
前記画像が前記第二のプロンプトボックスの外に位置する場合、前記画像の属性を通常態に設定し、第三の表示効果で前記画像を表示し、
前記画像が縮小されて前記第二のプロンプトボックスの内に位置し且つ前記第一のプロンプトボックスの外に位置する場合、前記画像の属性を削除直前態に更新し、第四の表示効果で前記画像を表示し、
前記画像が前記第一のプロンプトボックスの内に縮小された場合、前記画像の属性を削除態に更新し、第五の表示効果で前記画像を表示することを更に含み、
前記通常態は、属性が前記通常態である画像が削除禁止されることを指示するものであり、
前記削除直前態は、属性が前記削除直前態である画像が前記削除条件を満たす場合に直接削除禁止されることを指示するものであり、
前記削除態は、属性が前記削除態である画像が前記削除条件を満たす場合に直接削除されることを指示するものである、
ことを特徴とする請求項２に記載の画像削除方法。
【請求項５】
前記スクリーン上に第一のプロンプトボックスを設定することは、
前記画像が、編集される権限を有するか否かを検出し、
検出結果として、前記画像が編集される権限を有する場合、前記スクリーン上において前記第一のプロンプトボックスを設定することを含むことを特徴とする請求項１に記載の画像削除方法。
【請求項６】
前記削除条件は、削除信号を受信したこと或は前記画像が前記第一のプロンプトボックスの内に縮小されてからの時間長が所定の時間長に達したことであり、
前記削除信号は、前記スクリーンのタッチ状態が被タッチ状態から未タッチ状態に変更された時に生成したものであることを特徴とする請求項１〜５の何れか１項に記載の画像削除方法。
【請求項７】
前記画像が前記第一のプロンプトボックスの内に縮小された場合、前記スクリーンのタッチ状態が被タッチ状態から未タッチ状態に変更された場合に前記画像を削除する或は前記所定の時間長の後に前記画像を削除することを提示する削除提示情報をポップアップすることを更に含むことを特徴とする請求項６に記載の画像削除方法。
【請求項８】
フルスクリーンで画像を表示する場合、スクリーン上に前記スクリーンより面積が小さい第一のプロンプトボックスを設定する第一の設定モジュールと、
前記スクリーンが所定の軌跡でタッチされる時に生成した縮小操作信号を受信し、前記スクリーン上に表示の画像を縮小する縮小モジュールと、
前記画像が、前記縮小モジュールによって前記画像が前記第一のプロンプトボックス内に入るまで縮小され且つ削除条件を満たす場合、前記画像を削除する削除モジュールとを、備えることを特徴とする画像削除装置。
【請求項９】
前記第一の設定モジュールが前記スクリーン上に前記第一のプロンプトボックスを設定する時、前記スクリーン上において前記第一のプロンプトボックスより大きく、且つ前記第一のプロンプトボックスとは同心である第二のプロンプトボックスを設定する第二の設定モジュールと、
前記画像が前記縮小操作信号に基づいて縮小された後に、前記第二のプロンプトボックスの内に位置し且つ前記第一のプロンプトボックスの外に位置する場合、前記画像が前記削除条件を満たしたか否かを検出する検出モジュールと、
前記検出モジュールは、前記画像が前記削除条件を満たしたことを検出した場合、前記画像を削除するか否かの選択をユーザに提示する提示情報を表示する表示モジュールとを、更に備え、
前記縮小モジュールは、前記検出モジュールによって前記画像が前記削除条件を満たしていないことを検出した場合、前記スクリーン上に表示の画像を縮小することを継続的に実行することを特徴とする請求項８に記載の画像削除装置。
【請求項１０】
前記画像が前記第一のプロンプトボックスの外に位置する場合、前記画像の属性を通常態に設定し、第一の表示効果で前記画像を表示する第一の表示モジュールと、
前記画像が前記第一のプロンプトボックスの内に縮小された場合、前記画像の属性を削除態に更新し、第二の表示効果で前記画像を表示する第二の表示モジュールとを更に備え、
前記通常態は、属性が前記通常態である画像が削除禁止されることを指示するものであり、
前記削除態は、属性が前記削除態である画像が前記削除条件を満たす場合に直接削除されることを指示するものである
ことを特徴とする請求項８に記載の画像削除装置。
【請求項１１】
前記画像が前記第二のプロンプトボックスの外に位置する場合、前記画像の属性を通常態に設定し、第三の表示効果で前記画像を表示する第三の表示モジュールと、
前記画像が縮小されて前記第二のプロンプトボックスの内に位置し且つ前記第一のプロンプトボックスの外に位置する場合、前記画像の属性を削除直前態に更新し、第四の表示効果で前記画像を表示する第四の表示モジュールと、
前記画像が前記第一のプロンプトボックスの内に縮小された場合、前記画像の属性を削除態に更新し、第五の表示効果で前記画像を表示する第五の表示モジュールとを、更に備え、
前記通常態は、属性が前記通常態である画像が削除禁止されることを指示するものであり、
前記削除直前態は、属性が前記削除直前態である画像が前記削除条件を満たす場合に直接削除禁止されることを指示するものであり、
削除態は、属性が前記削除態である画像が前記削除条件を満たす場合に直接削除されることを指示するものである、
ことを特徴とする請求項９に記載の画像削除装置。
【請求項１２】
前記第一の設定モジュールは、
前記画像が編集される権限を有するか否かを検出する検出サブモジュールと、
前記検出サブモジュールの検出結果として、前記画像が編集される権限を有する場合、前記スクリーン上に前記第一のプロンプトボックスを設定する設定サブモジュールとを備えることを特徴とする請求項８に記載の画像削除装置。
【請求項１３】
前記削除条件は、削除信号を受信したこと、或は前記画像が前記第一のプロンプトボックスの内に縮小されてからの時間長が所定の時間長に達したことであり、
前記削除信号は前記スクリーンのタッチ状態が被タッチ状態から未タッチ状態に変更された時に生成したものであることを特徴とする請求項８〜１２の何れか１項に記載の画像削除装置。
【請求項１４】
前記画像が、前記縮小モジュールによって前記第一の設定モジュールが設定した前記第一のプロンプトボックスの内に縮小された場合、前記スクリーンのタッチ状態が被タッチ状態から未タッチ状態に変更された場合に前記画像を削除すること或は前記所定の時間長後に前記画像を削除することを提示する削除提示情報をポップアップする情報ポップアップモジュールとを、更に備えることを特徴とする請求項１３に記載の画像削除装置。
【請求項１５】
プロセッサと、
プロセッサが実行可能なコマンドを記憶するメモリとを備え、
前記プロセッサは、
フルスクリーンで画像を表示する場合、スクリーン上に前記スクリーンより面積が小さい第一のプロンプトボックスを設定し、
前記スクリーンが所定の軌跡でタッチされる時に生成される縮小操作信号を受信して、前記スクリーン上に表示の画像を縮小させ、
前記画像が前記第一のプロンプトボックス内に入るまで縮小され且つ削除条件を満たす場合、前記画像を削除するように構成されていることを特徴とする画像削除装置。
【発明の詳細な説明】
【技術分野】
【０００１】
本発明は、画像処理分野に関するものであり、特に画像削除方法及び画像削除装置に関するものである。
【背景技術】
【０００２】
端末における画像ライブラリには、撮影或は収集した各種の画像を記憶しても良い。端末は、記憶空間の制限があるため、一般的に画像ライブラリ中の画像を選択的に削除する必要がある。
フルスクリーンで画像を見る際、メニューボタンは、一般的に全体が隠されている。画像を削除する時、ユーザは先ずスクリーン中心をクリックしてメニューボタンを呼び出し、その後メニューボタンにおける「削除」キーをクリックする。この時、端末が確認プロンプトボックスをポップアップする。ユーザは該プロンプトボックスにおける「確認」ボタンをクリックしてから、端末が現在のスクリーン上に表示の画像を削除する。
【発明の概要】
【発明が解決しようとする課題】
【０００３】
発明者は、本発明を実現する過程において、関連技術が少なくとも以下の欠点を有することを見出した。即ち、画像を削除する時、クリックする必要のボタンがあまり多く、且つ各クリックの位置も異なることで、操作が非常に煩雑となってしまう。
本発明は、関連技術において画像を削除する時、クリックする必要のあるボタンが多すぎ且つ各クリックの位置も異なることで生じた、操作が非常に煩雑である問題を解決するために、画像削除方法及び画像削除装置を提供する。前記技術案は、以下の通りである。
【課題を解決するための手段】
【０００４】
本発明の実施例の第一の局面によれば、画像削除方法を提供した。前記方法は、
フルスクリーンで画像を表示する時、スクリーン上に前記スクリーンより面積が小さい第一のプロンプトボックスを設定し、前記スクリーンが所定の軌跡でタッチされる時に生成される縮小操作信号を受信して、前記スクリーン上に表示の画像を縮小させ、前記画像が前記第一のプロンプトボックス内に入るまで縮小され且つ削除条件を満たす場合、前記画像を削除することを含む。
【０００５】
前記方法は、前記スクリーン上に前記第一のプロンプトボックスを設定する時、前記スクリーン上に、前記第一のプロンプトボックスより大きく、且つ前記第一のプロンプトボックスとは同心である第二のプロンプトボックスを設定し、前記画像が前記縮小操作信号に基づいて縮小された後に、前記第二のプロンプトボックスの内に位置し且つ前記第一のプロンプトボックスの外に位置する時、前記画像が前記削除条件を満たすか否かを検出し、前記画像が前記削除条件を満たしたことを検出した場合、前記画像を削除するか否かの選択をユーザに提示するための提示情報を表示し、前記画像が前記削除条件を満たしていないことを検出した場合、前記スクリーン上に表示の画像を縮小することを継続的に実行することを更に含むことが好ましい。
【０００６】
前記方法は、通常態は、属性が前記通常態である画像が削除禁止されることを指示するものであり、前記画像が前記第一のプロンプトボックスの外に位置する時、前記画像の属性を前記通常態に設定し、第一の表示効果で前記画像を表示し、削除態は、属性が前記削除態である画像が前記削除条件を満たした時に直接削除されることを指示するものであり、前記画像が前記第一のプロンプトボックスの内に縮小された時、前記画像の属性を前記削除態に更新し、第二の表示効果で前記画像を表示することを更に含むことが好ましい。
【０００７】
前記方法は、通常態は、属性が前記通常態である画像が削除禁止されることを指示するものであり、前記画像が前記第二のプロンプトボックスの外に位置する時、前記画像の属性を前記通常態に設定し、第三の表示効果で前記画像を表示し、削除直前態は、属性が前記削除直前態である画像が前記削除条件を満たした時に直接削除禁止されることを指示するものであり、前記画像が縮小されて前記第二のプロンプトボックスの内に位置し且つ前記第一のプロンプトボックスの外に位置する時、前記画像の属性を前記削除直前態に更新し、第四の表示効果で前記画像を表示し、削除態は、属性が前記削除態である画像が前記削除条件を満たした時に直接削除されることを指示するものであり、前記画像が前記第一のプロンプトボックスの内に縮小された時、前記画像の属性を前記削除態に更新し、第五の表示効果で前記画像を表示することを更に含むことが好ましい。
前記スクリーン上に第一のプロンプトボックスを設定することは、前記画像が、編集される権限を有するか否かを検出し、検出結果は前記画像が編集される権限を有することである場合、前記スクリーン上において前記第一のプロンプトボックスを設定することを含むことが好ましい。
【０００８】
前記削除条件は、削除信号を受信したこと或は前記画像が前記第一のプロンプトボックスの内に縮小されてからの時間長が所定の時間長に達したことであり、前記削除信号は、前記スクリーンのタッチ状態が被タッチ状態から未タッチ状態に変更された時に生成したものであることが好ましい。
【０００９】
前記方法は、前記画像が前記第一のプロンプトボックスの内に縮小された時、前記スクリーンのタッチ状態が被タッチ状態から未タッチ状態に変更された時に前記画像を削除する或は前記所定の時間長の後に前記画像を削除することを提示する削除提示情報をポップアップすることを更に含むことが好ましい。
【００１０】
本発明の実施例の第二の局面によれば、画像削除装置を提供した。前記装置は、フルスクリーンで画像を表示する時、スクリーン上に前記スクリーンより面積が小さい第一のプロンプトボックスを設定する第一の設定モジュールと、前記スクリーンが所定の軌跡でタッチされる時に生成した縮小操作信号を受信し、前記スクリーン上に表示の画像を縮小する縮小モジュールと、前記画像が、前記縮小モジュールによって前記第一の設定モジュールが設定した第一のプロンプトボックスの内に縮小され且つ削除条件を満たした時、前記画像を削除する削除モジュールとを、備えることが好ましい。
【００１１】
前記装置は、前記第一の設定モジュールが前記スクリーン上に前記第一のプロンプトボックスを設定する時、前記スクリーン上において前記第一のプロンプトボックスより大きく且つ前記第一のプロンプトボックスとは同心である第二のプロンプトボックスを設定する第二の設定モジュールと、前記画像が前記縮小操作信号に基づいて縮小された後に、前記第二のプロンプトボックスの内に位置し且つ前記第一のプロンプトボックスの外に位置する時、前記画像が前記削除条件を満たしたか否かを検出する検出モジュールと、前記検出モジュールは、前記画像が前記削除条件を満たしたことを検出した時、前記画像を削除するか否かの選択をユーザに提示する提示情報を表示する表示モジュールとを、更に備え、前記縮小モジュールは、前記検出モジュールによって前記画像が前記削除条件を満たしていないことを検出した時、前記スクリーン上に表示の画像を縮小することを継続的に実行することが好ましい。
【００１２】
前記装置は、通常態は、属性が前記通常態である画像が削除禁止されることを指示するものであり、前記画像が前記第一のプロンプトボックスの外に位置する時、前記画像の属性を前記通常態に設定し、第一の表示効果で前記画像を表示する第一の表示モジュールと、削除態は、属性が前記削除態である画像が前記削除条件を満たした時に直接削除されることを指示するものであり、前記画像が前記第一のプロンプトボックスの内に縮小された時、前記画像の属性を前記削除態に更新し、第二の表示効果で前記画像を表示する第二の表示モジュールとを更に備えることが好ましい。
【００１３】
前記装置は、通常態は、属性が前記通常態である画像が削除禁止されることを指示するものであり、前記画像が前記第二のプロンプトボックスの外に位置する時、前記画像の属性を前記通常態に設定し、第三の表示効果で前記画像を表示する第三の表示モジュールと、削除直前態は、属性が前記削除直前態である画像が前記削除条件を満たした時に直接削除禁止されることを指示するものであり、前記画像が縮小されて前記第二のプロンプトボックスの内に位置し且つ前記第一のプロンプトボックスの外に位置する時、前記画像の属性を前記削除直前態に更新し、第四の表示効果で前記画像を表示する第四の表示モジュールと、削除態は、属性が前記削除態である画像が前記削除条件を満たした時に直接削除されることを指示するものであり、前記画像が前記第一のプロンプトボックスの内に縮小された時、前記画像の属性を前記削除態に更新し、第五の表示効果で前記画像を表示する第五の表示モジュールとを、更に備えることが好ましい。
【００１４】
前記第一の設定モジュールは、前記画像が編集される権限を有するか否かを検出する検出サブモジュールと、前記検出サブモジュールの検出結果は、前記画像が編集される権限を有することである時、前記スクリーン上に前記第一のプロンプトボックスを設定する設定サブモジュールとを備えることが好ましい。
【００１５】
前記削除条件は、削除信号を受信したこと、或は前記画像が前記第一のプロンプトボックスの内に縮小されてからの時間長が所定の時間長に達したことであり、前記削除信号は前記スクリーンのタッチ状態が被タッチ状態から未タッチ状態に変更された時に生成したものであることが好ましい。
【００１６】
前記装置は、前記画像が前記縮小モジュールによって前記第一の設定モジュールが設定した前記第一のプロンプトボックスの内に縮小された時、前記スクリーンのタッチ状態が被タッチ状態から未タッチ状態に変更された時に前記画像を削除すること或は前記所定の時間長後に前記画像を削除することを提示する削除提示情報をポップアップする情報ポップアップモジュールとを、更に備えることが好ましい。
【００１７】
本発明の実施例の第三の局面によれば、画像削除装置を提供した。前記装置は、プロセッサと、プロセッサが実行可能なコマンドを記憶するメモリとを備え、前記プロセッサは、フルスクリーンで画像を表示する時、スクリーン上に前記スクリーンより面積が小さい第一のプロンプトボックスを設定し、前記スクリーンが所定の軌跡でタッチされる時に生成される縮小操作信号を受信して、前記スクリーン上に表示の画像を縮小させ、前記画像が前記第一のプロンプトボックス内に入るまで縮小され且つ削除条件を満たす場合、前記画像を削除するように構成されている。
【発明の効果】
【００１８】
本発明の実施例が提供した技術案は、以下の有益な効果を奏する。
画像が、設定した第一のプロンプトボックスの内に縮小され且つ削除条件を満たした時、該画像を削除し、画像がタッチされて第一のプロンプトボックスの内に縮小され且つ削除条件を満たした時、該画像が削除されることによって、画像の削除に関連する複数ボタンをクリックする必要がなく、画像を削除する時、クリックする必要のあるボタンが多すぎ且つ各クリックの位置も異なることで生じた、操作が非常に煩雑となる技術課題を解決でき、極大的に操作の難度を低下させ、削除操作が簡単になり、操作し易くなるという効果を奏する。
上記の説明および後述の詳細な説明は、単なる例示のみであり、本発明を限定するものではないことを理解すべきである。
【図面の簡単な説明】
【００１９】
ここでの図面は明細書に組み込まれて明細書の一部を構成し、本発明に適合する実施例を示し、明細書と共に本発明の原理の解釈に用いられる。
【図１】例示的な実施例で示す画像削除方法のフローチャートである。
【図２Ａ】その他の例示的な実施例で示す画像削除方法のフローチャートである。
【図２Ｂ】例示的な実施例で示すスクリーン上に設定した第一のプロンプトボックスの模式図である。
【図２Ｃ】例示的な実施例で示す縮小操作信号の生成時の操作の模式図である。
【図２Ｄ】例示的な実施例で示す画像削除の模式図である。
【図３Ａ】更にその他の例示的な実施例で示す画像削除方法のフローチャートである。
【図３Ｂ】例示的な実施例で示すスクリーン上に設定した第一のプロンプトボックス及び第二のプロンプトボックスの模式図である。
【図３Ｃ】その他の例示的な実施例で示す画像削除の模式図である。
【図４】例示的な実施例で示す画像削除装置のブロック図である。
【図５】その他の例示的な実施例で示す画像削除装置のブロック図である。
【図６】更にその他の例示的な実施例で示す画像削除装置のブロック図である。
【図７】例示的な実施例で示す、画像を削除するための装置のブロック図である。
【発明を実施するための形態】
【００２０】
ここで、図面に示された例示的な実施例を詳細に説明する。以下の記載において、図面を言及するとき、特に説明しない限り、異なる図面における同じ番号が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の局面と一致する装置及び方法の例にすぎない。
【００２１】
図１は、例示的な実施例で示す画像削除方法のフローチャートである。図１に示すように、該画像削除方法は、以下のステップを含む。
ステップ１０１において、フルスクリーンで画像を表示する時、スクリーン上に、スクリーンより面積が小さい第一のプロンプトボックスを設定する。
通常、第一のプロンプトボックスは、スクリーン上に表示された画像の後に存在しても良い。該第一のプロンプトボックスは、該フルスクリーンで表示の画像の後に存在するため、スクリーンにおいて見られないことになっている。
【００２２】
ステップ１０２において、縮小操作信号を受信し、スクリーン上に表示の画像を縮小する。縮小操作信号は、スクリーンが所定の軌跡でタッチされる時に生成した信号である。
所定の軌跡は、プリセットした軌跡である。例えば、同時にタッチされる時に生成した二つの接触点が互いに近づく時に生成した軌跡であっても良いし、第一の接触点の位置が不変で第二の接触点が第一の接触点に近づく時に生成した軌跡であっても良い。
ステップ１０３において、画像が第一のプロンプトボックスの内に縮小され且つ、削除条件を満たした場合、画像が削除される。
【００２３】
上記のように、本発明の実施例に提供した画像削除方法は、画像が、設定した第一のプロンプトボックスの内に縮小され且つ削除条件を満たした場合、該画像を削除することによって、画像がタッチされて第一のプロンプトボックスの内に縮小され且つ削除条件を満たした場合、該画像が削除されるので、画像削除に関わる複数のボタンをクリックする必要もなく、画像を削除する時にクリックする必要のあるボタンが多すぎ且つ各クリックの位置も異なることで生じた、操作が非常に煩雑となる技術課題を解決でき、極大的に操作の難度を低下させ、削除操作が簡単になり操作し易い効果を奏する。
【００２４】
画像削除の実現シーンにおいて、スクリーン上に一つのプロンプトボックスのみを設定し、画像が該プロンプトボックスに縮小され且つ削除条件を満たした場合に、該画像が直接削除される。具体的には、図２Ａにおける描写を参照する。
図２Ａは、その他の例示的な実施例で示す画像削除方法のフローチャートである。図２Ａに示すように、該画像削除方法は、以下のステップを含む。
ステップ２０１において、フルスクリーンで画像を表示する時、画像が編集される権限を有するか否かを検出する。
【００２５】
画像がフルスクリーンで表示され且つ編集されることが可能である時、該画像に対して縮小や移動等の操作が行えることを意味する。
ステップ２０２において、検出結果は、画像が編集される権限を有することである場合、スクリーン上にスクリーンより面積が小さい第一のプロンプトボックスを設定する。
第一のプロンプトボックスは、画像を削除する条件として、その面積が一般的にスクリーンの面積より小さい。
通常、第一のプロンプトボックスがフルスクリーンに表示の画像より小さく、スクリーン上に表示の画像の後に存在する。該第一のプロンプトボックスは、該フルスクリーンに表示の画像の後にあるため、スクリーンにおいて見られない。
【００２６】
図２Ｂを参照する。図２Ｂは例示的な実施例で示す、スクリーン上に設定した第一のプロンプトボックスの模式図である。図２Ｂにおいて、点線が示すボックスは、第一のプロンプトボックス２１であり、該点線は、該第一のプロンプトボックス２１がフルスクリーン画像２２（画像２２及び第一のプロンプトボックス２１との位置関係を便利に表明するため、画像２２における画素内容を省略した）の後にあることを示し、この時に第一のプロンプトボックス２１が見られない。第一のプロンプトボックス２１の面積がスクリーンの面積より小さいことが明らかである。
【００２７】
実際の実現時、画像の形状は、通常長方形であるため、第一のプロンプトボックスの形状が長方形でも良い。第一のプロンプトボックスの形状は、楕円形、多角形等であっても良いことが言うまでもない。本実施例は、第一のプロンプトボックスの形状を具体的に限定しない。
第一のプロンプトボックスは、スクリーンの中心位置に設定され、即ち、第一のプロンプトボックスの中心位置が第一のスクリーンの中心位置と重ねることが好ましい。第一のプロンプトボックスは、スクリーンの中心位置に位置しなくても良い。本実施例は、第一のプロンプトボックスの具体位置を限定しない。
【００２８】
ステップ２０３において、画像が第一のプロンプトボックスの外に位置する場合、画像の属性を通常態に設定し、第一の表示効果で画像を表示する。通常態は、属性が通常態である画像が削除禁止されることを指示するものである。
第一の表示効果は、任意に設定されて良い。該第一の表示効果は、画像が編集状態下でのデフォルトの表示効果であることが好ましい。本発明は、第一の表示効果を具体的に限定しない。
【００２９】
画像が編集可能且つ第一のプロンプトボックスの外に位置する場合、画像の属性を通常態に設定し、通常態下、該画像は禁止削除され、即ち、通常態は、属性が通常態である画像が削除禁止されることを指示するものである。つまり、該画像が第一のプロンプトボックスの外に位置し、且つ編集されることが可能である場合、ユーザが該画像を操作し、且つユーザの指がスクリーンから離れ、或は画像がその他の削除条件を満たした場合、該画像を削除せずに、デフォルトの操作を実行する。
【００３０】
ステップ２０４において、縮小操作信号を受信し、スクリーン上に表示の画像を縮小する。縮小操作信号は、スクリーンが所定の軌跡でタッチされる時に生成した信号である。
縮小操作信号は、ユーザがスクリーン上において所定の軌跡でタッチする時に生成したものである。実際の応用において、縮小操作信号は、ユーザの二指がスクリーン上において所定の軌跡でタッチする時に生成した信号であっても良い。
例えば、縮小操作信号は、ユーザの二指がスクリーン上において対向へスライドしてタッチする時に生成した信号であっても良い、即ち、ユーザが二指で同時にスクリーンをタッチし、且つ二つの指がスクリーンにタッチする接触点間の距離がますます近づく。図２Ｃを参照する。図２Ｃは例示的な実施例で示す縮小操作信号の生成時の操作模式図である。図２Ｃにおいて、二指は、スクリーンにタッチし且つタッチ状態で対向移動する。
【００３１】
明らかに、縮小操作信号は、ユーザが一指、三指、四指等を用いてスクリーン上においてその他の所定の軌跡でタッチする時に生成したものであっても良い。本発明は、縮小操作信号の生成方法を限定しない。
ステップ２０５において、画像が第一のプロンプトボックスの内に縮小された場合、画像の属性を削除態に更新し、第二の表示効果で画像を表示する。削除態は、属性が削除態である画像が削除条件を満たした場合に直接削除されることを指示するためのものである。
削除条件は、削除信号を受信したこと、或は、画像が第一のプロンプトボックスの内に縮小されてからの時間長が所定の時間長に達したことである。
【００３２】
ここで、削除信号は、スクリーンのタッチ状態が被タッチ状態から未タッチ状態に変更される時に生成したものである。換言すれば、画像の縮小過程において、スクリーンのタッチ状態は、ずっと被タッチ状態となっているので、削除信号は、ユーザの指がタッチされるスクリーンから離れる時に生成したものである。
画像が縮小操作信号に従って第一のプロンプトボックスの内に縮小する場合、画像の属性を削除態に更新する。削除態は、属性が削除態である画像が削除条件を満たした場合に直接削除されることを指示するためのものであるので、削除態下で削除条件を満たす場合に画像を直接削除することが許可する。
【００３３】
ユーザに該画像の属性が削除態であることを便利に知らせるために、削除態下での画像は第二の表示効果で表示して良い。例えば、高輝度或はぼやけの効果で削除態の画像を表示する。このように、ユーザが第二の表示効果で表示された画像に基づいて画像を削除するか否かを確定できる。
ユーザに何時画像を削除して良いことを便利に区分させるために、第一の表示効果及び第二の表示効果は、一般的に二種の異なる表示効果である。例えば、第一の表示効果はデフォルトの表示効果で、第二の表示効果は、高輝度版或はぼやけ版の表示効果である。
【００３４】
ステップ２０６において、画像が第一のプロンプトボックスの内に縮小され且つ削除条件を満たした場合、画像が削除される。
即ち、画像が第一のプロンプトボックスの内に縮小され且つユーザの指がスクリーンタッチからスクリーン離れ（即ち、スクリーンのタッチ状態が、被タッチ状態から未タッチ状態に変更される）、或は、画像が第一のプロンプトボックスの内に縮小されてからの時間長が所定の時間長に達した場合、電子デバイスが画像削除条件を満たすことを確定し、この時画像を削除する。
【００３５】
上記から分かるように、ユーザが一つのフルスクリーン表示の画像を削除しようとする場合、二指がタッチしながらスライドすることによって、画像を第一のプロンプトボックスの内に縮小し、その後、ユーザの二指がスクリーンから離れ、該画像が削除される。或は、ユーザは、二指がタッチしながらスライドし、画像を第一のプロンプトボックスの内に縮小し、且つ、画像が第一のプロンプトボックスの内に継続的に保持する時間長は所定の時間長に達した場合、該画像が削除される。フルスクリーン表示の画像を削除する場合、ユーザが縮小操作信号に対応する所定の軌跡でタッチしながらスライドし、その後スクリーンから離れることのみをすれば良い、或はユーザが縮小操作信号に対応する所定の軌跡でタッチしながらスライドし、その後第一のプロンプトボックスの内に所定の時間長を保持することのみをすれば良いので、操作が簡単で、余計なボタン操作がなく、画像削除を実現するのに便利である。
【００３６】
例を挙げて説明する。依然として図２Ｂを参照する。図２Ｂに示すように、スクリーン上に第一のプロンプトボックス２１を設定し（この時見られないので、点線で表示）、スクリーン上で画像２２をフルスクリーン表示し、画像２２がユーザの指でタッチされて第一のプロンプトボックス２１内に縮小される場合、図２Ｄを参照して図２Ｄに示すように、この場合、第一のプロンプトボックス２１が見られるようになり、該画像２２が高輝度の効果で表示され、この場合、ユーザの指がスクリーンから離れ、或は画像２２を第一のプロンプトボックス２１内に維持する時間長が所定の時間長に達した場合、該画像２２が削除される。
【００３７】
以下は、補足説明すべきである。即ち、画像が削除された後、設定した第一のプロンプトボックスは、継続的に表示されなくても良い、或はユーザが次の画像を誤削除することを回避するため、該第一のプロンプトボックスを取り除いても良い。
【００３８】
その他の実現可能なシーンにおいて、画像が第一のプロンプトボックスの内に縮小された場合、スクリーン上に削除提示情報をポップアップしても良い。該削除提示情報は、スクリーンのタッチ状態が被タッチ状態から未タッチ状態に変更される場合に画像を削除すること或は所定の時間長後に画像を削除することを提示する情報である。このように、削除提示情報は、ユーザに削除案内を提供し、ユーザに削除提示情報に従ってスクリーンから離れさせて画像を削除させ、或は画像が第一のプロンプトボックスの内に所定の時間長を維持させた後、画像を削除するので、ユーザが画像を削除する場合、ユーザに対してより多い提示をすることが保証でき、ユーザに対してより多い選択を提供できる。従って、ユーザの使用体験を向上できる。
【００３９】
上記のように、本発明の実施例に提供した画像削除方法は、フルスクリーンで画像を表示する場合、第一のプロンプトボックスを設定し、画像が設定した第一のプロンプトボックスの内に縮小され且つ削除条件を満たした場合、該画像を削除する。これによって、画像がタッチされて第一のプロンプトボックスの内に縮小され且つ削除条件を満たした場合、該画像が削除されるので、画像削除に関連する複数ボタンをクリックする必要がなく、画像を削除する場合、クリックする必要のあるボタンが多すぎ且つ各クリックの位置も異なることで生じた、操作が非常に煩雑となる技術課題を解決でき、極大的に操作の難度を低下させ、削除操作が簡単になり操作し易い効果を奏する。
【００４０】
可能な実施形態において、電子デバイスは、画像が所定の倍数に拡大されたか否かを検出しても良い。画像が所定の倍数に拡大されたことを検出した場合、該画像が削除される。つまり、ユーザが画像を削除しようとする場合、画像を拡大させ、画像が元画像の所定の倍数に拡大された後、該画像を直接削除する。
【００４１】
電子デバイスは、画像が所定の倍数に拡大されたか否かを検出し、画像が所定の倍数に拡大された場合、削除条件を満たしたかを検出することが好ましい。ここでの削除条件は、削除信号を受信したこと或は画像が該所定の倍数に保持される時間長が所定の時間長に達したことである。削除信号は、依然として、スクリーンのタッチ状態が被タッチ状態から未タッチ状態に変更される時に生成したものである。
【００４２】
その他の画像削除の実現シーンにおいて、スクリーン上には二つの同心のプロンプトボックスを設定し、画像が比較的に大きいプロンプトボックスの内に縮小され且つ比較的に小さいプロンプトボックスの外に位置する場合、例え削除条件を満たしたとしても、該画像を直接削除しないが、画像が該比較的に小さいプロンプトボックスに縮小され且つ削除条件を満たした場合、該画像を直接削除する。具体的には、図３Ａにおける描写を参照すれば良い。
【００４３】
図３Ａは、更にその他の例示的な実施例で示す画像削除方法のフローチャートである。図３Ａに示すように、該画像削除方法は、以下のステップを含む。
ステップ３０１において、フルスクリーンで画像を表示する場合、画像が編集権限を有するかを検出する。
画像がフルスクリーン表示され且つ編集され可能である場合、該画像に対して縮小、移動等操作を行えることを表明する。
ステップ３０２において、検出結果は、画像が編集権限を有することである場合、スクリーン上に第一のプロンプトボックスと第二のプロンプトボックスとを設定する。
ここで、第一のプロンプトボックスの面積は、スクリーンの面積より小さいと設定し、第二のプロンプトボックスと第一のプロンプトボックスは同心のプロンプトボックスであり且つ第二のプロンプトボックスが第一のプロンプトボックスより大きい。
【００４４】
通常、第一のプロンプトボックス及び第二のプロンプトボックスともはフルスクリーン表示の画像より小さく、スクリーン上に表示された画像の後にあり、該第一のプロンプトボックス及び第二のプロンプトボックスは、最初時全てが該フルスクリーン表示の画像の後にあるので、スクリーンにおいて見られない。
【００４５】
図３Ｂを参照する。図３Ｂは例示的な実施例で示す、スクリーン上に設定した第一のプロンプトボックス及び第二のプロンプトボックスの模式図である。図３Ｂにおいて、点線で表示されるボックスそれぞれは第一のプロンプトボックス３１及び第二のプロンプトボックス３２であり、点線は、該第一のプロンプトボックス３１及び第二のプロンプトボックス３２がフルスクリーン画像３３（画像３３と第一のプロンプトボックス３１、第二のプロンプトボックス３２との位置関係を表明するのに便利になるために、画像３３における画素内容を省略した）の後にあり、この時第一のプロンプトボックス３１及び第二のプロンプトボックス３２とは見られない。
【００４６】
第二のプロンプトボックス３２と第一のプロンプトボックス３１は同心のプロンプトボックスであり、第二のプロンプトボックス３２の面積が第一のプロンプトボックス３１の面積より大きく且つ第二のプロンプトボックス３２の面積がスクリーンの面積より小さいことが明らかである。
【００４７】
実際の実現の場合、画像の形状は一般的に長方形であるので、第一のプロンプトボックス及び第二のプロンプトボックスの形状ともは、長方形であっても良い。明らかに、第一のプロンプトボックス及び第二のプロンプトボックスの形状も共に楕円形、多角形等であっても良い。本実施例においては第一のプロンプトボックス及び第二のプロンプトボックスの形状を具体的に限定しない。
【００４８】
第一のプロンプトボックス及び第二のプロンプトボックスが同心のプロンプトボックスであるので第一のプロンプトボックス及び第二のプロンプトボックスの形状は同じであることを説明すべきである。明らかに、第一のプロンプトボックス及び第二のプロンプトボックスを同心のプロンプトボックスに設定するのは、画像が第二のプロンプトボックスの内に位置し且つ第一のプロンプトボックスの内に位置する状態を保証できることを目的とするので、第一のプロンプトボックス及び第二のプロンプトボックスの形状が異なって良い。画像が、縮小される場合に第二のプロンプトボックスの内に位置し且つ第一のプロンプトボックスの内に位置することがさえ保証できれば良い。
【００４９】
第一のプロンプトボックス、第二のプロンプトボックスは、スクリーンの中心位置に設定して良い。即ち、第一のプロンプトボックス、第二のプロンプトボックスの中心位置共に第一のスクリーンの中心位置と重ねる。勿論、第一のプロンプトボックス、第二のプロンプトボックスは、スクリーンの中心位置に位置しなくても良い。本実施例においては、第一のプロンプトボックス、第二のプロンプトボックスの具体位置を限定しない。
【００５０】
ステップ３０３において、画像が第二のプロンプトボックスの外に位置する場合、画像の属性を通常態に設定し、第三の表示効果で画像を表示する。通常態は、属性が通常態である画像が削除禁止されることを指示するものである。
第三の表示効果は任意に設定しても良い。該第三の表示効果は、画像が編集状態下でのデフォルトの表示効果であっても良い。本発明は、第三の表示効果を具体的に限定しない。
【００５１】
画像が編集可能であり且つ第二のプロンプトボックスの外に位置する場合、画像の属性を通常態に設定し、通常態下では、該画像の削除を禁止する。即ち、通常態は、属性が通常態である画像が削除禁止されることを指示するものである。つまり、該画像が第二のプロンプトボックスの外に位置し且つ編集可能である場合、ユーザが該画像を操作し且つユーザの指がスクリーンから離れる或は画像がその他の削除条件を満たした場合、該画像を削除せずにデフォルトの操作を実行する。
【００５２】
ステップ３０４において、縮小操作信号を受信し、スクリーン上に表示の画像を縮小する。縮小操作信号はスクリーンが所定の軌跡でタッチされる時に生成した信号である。
縮小操作信号は、ユーザがスクリーン上において所定の軌跡でタッチする時に生成したものである。実際の応用において、縮小操作信号は、ユーザの二指がスクリーン上において所定の軌跡でタッチする時に生成したものであって良い。
【００５３】
例えば、縮小操作信号は、ユーザの二指がスクリーン上において対向スライドしてタッチする時に生成したものである。即ち、ユーザが二つの指を用いて同時にスクリーンをタッチし且つ二つの指がスクリーン上にタッチした接触点間の距離がますます近づく時に生成する。図２Ｃを参照すれば良いので、ここでその記載を省略した。
明らかに、縮小操作信号は、ユーザが一指、三指、四指等を用いてスクリーン上においてその他の所定の軌跡でタッチする時に生成したものであっても良い。本発明は、縮小操作信号の生成方法を限定しない。
【００５４】
ステップ３０５において、画像が縮小操作信号に基づいて縮小された後、第二のプロンプトボックスの内に位置し且つ第一のプロンプトボックスの外に位置する場合、画像の属性を削除直前態に更新し、第四の表示効果で画像を表示する。削除直前態は、属性が削除直前態である画像が削除条件を満たす場合に直接削除禁止されることを指示するものである。
削除条件は、削除信号を受信したこと或は画像が第一のプロンプトボックスの内に縮小されてからの時間長が所定の時間長に達したことである。
【００５５】
ここで、削除信号はスクリーンのタッチ状態が被タッチ状態から未タッチ状態に変更される時に生成したものである。換言すれば、画像の縮小過程において、スクリーンのタッチ状態は、ずっと被タッチ状態であるので、削除信号は、ユーザの指がスクリーンをタッチしてスクリーンから離れる時に生成したものである。
該画像の属性が削除直前態であることをユーザに便利に知らせるため、削除直前態下での画像を、第四の表示効果で表示し、例えば、高輝度或はぼやけの効果で削除直前態の画像を表示する。
【００５６】
これは、ユーザの誤操作を回避するために、操作信号に基づいて画像が縮小された後、第二のプロンプトボックスの内に位置し且つ第一のプロンプトボックスの外に位置する場合、画像の属性を削除直前態に更新し、削除直前態下で、たとえ画像削除条件を満たしたとしても、画像を直接削除できない。
ステップ３０６において、画像が削除条件を満たしたか否かを検出する。
【００５７】
画像が操作信号に基づいて縮小された後、第二のプロンプトボックスの内に位置し且つ第一のプロンプトボックスの外に位置する場合、削除条件を満たしたか否かを検出する。即ち、画像が第二のプロンプトボックスの内に位置し且つ第一のプロンプトボックスの外に位置する場合、この場合、ユーザの指がスクリーンから離れたかを検出する、或は該画像が第二のプロンプトボックスの内に位置し且つ第一のプロンプトボックスの外に位置する時間長が所定の時間長に達したかを検出する。
【００５８】
ステップ３０７において、画像が削除条件を満たしたことを検出した場合、提示情報を表示する。提示情報は、画像を削除するかの選択をユーザに提示する情報である。
画像が第二のプロンプトボックスの内に位置し且つ第一のプロンプトボックスの外に位置する場合、削除条件を満たしたことを検出した場合、提示情報が表示される。即ち、画像が第二のプロンプトボックスの内に位置し且つ第一のプロンプトボックスの外に位置する場合、この時の画像の属性は、削除直前態であり、もし画像削除条件を満たすなら、即ち、ユーザの指がスクリーンから離れる或は該画像が第二のプロンプトボックスの内に位置し且つ第一のプロンプトボックスの外に位置することを所定の時間長に維持した場合、提示情報が表示される。
【００５９】
つまり、画像が第二のプロンプトボックスの内に位置し且つ第一のプロンプトボックスの外に位置する場合、たとえユーザの指がスクリーンから離れて或は第二のプロンプトボックスの内に位置し且つ第一のプロンプトボックスの外に位置することを所定の時間長に維持したとしても、画像が直接削除されないので、ユーザの誤操作を回避できる。
ユーザは、提示情報に基づいて画像を削除するかの選択を行っても良い。
【００６０】
画像が縮小された後、第二のプロンプトボックスの内に位置し、第一のプロンプトボックスの外に位置し且つ画像削除条件を満たした場合、提示情報をポップアップすることが好ましい。該提示情報は、該画像を削除するかの選択をユーザに提示する情報である。ユーザが該画像の削除を選択した時の削除コマンドを受信した場合、該画像が削除される。
【００６１】
ステップ３０８において、画像が削除条件を満たしないことを検出した場合、スクリーン上において選択された画像を継続的に縮小する。
画像が第二のプロンプトボックスの内に位置し且つ第一のプロンプトボックスの外に位置する場合、画像が削除条件を満たせず、例えば、削除信号を受信せず且つこの時依然として縮小操作信号を受信した場合、継続的にスクリーン上において選択された画像を縮小する。
【００６２】
ステップ３０９において、画像が第一のプロンプトボックスの内に縮小された場合、画像の属性を削除態に更新し、第五の表示効果で画像を表示する。削除態は、属性が削除態である画像が削除条件を満たす場合に直接削除されることを指示するものである。
画像が縮小操作信号に従って第一のプロンプトボックスの内に縮小された場合、画像の属性を削除態に更新し、削除態下で画像削除条件を満たす場合に該画像を直接削除することが許可される。
【００６３】
該画像の属性が削除態であることをユーザに便利に知らせるために、削除態下での画像を第五の表示効果で表示して良い、例えば、第四の表示効果より高い高輝度或はよりぼやけの効果で削除態の画像を表示する。このようにユーザが第五の表示効果で表示された画像に基づいて、画像を削除するか否かを確定できる。
ステップ３１０において、画像が第一のプロンプトボックスの内に縮小され且つ削除条件を満たした場合、画像を削除する。
【００６４】
即ち、画像が第一のプロンプトボックスの内に縮小され且つユーザの指がスクリーンをタッチしてスクリーンから離れる場合、電子デバイスが削除条件を満たすことを確定し、この時画像を削除する。或は、画像が第一のプロンプトボックスの内に縮小され且つ画像が該第一のプロンプトボックスの内に位置することを所定の時間長で維持した場合、電子デバイスが削除条件を満たすのを確定し、この時画像を削除する。
【００６５】
上記から分かるように、ユーザが一つのフルスクリーンで表示される画像を削除しようとする場合、二指でタッチしながらスライドして画像を第一のプロンプトボックスの内に縮小され、その後、ユーザの二指がスクリーンから離れた場合、該画像が削除される。或は、ユーザが二指でタッチしながらスライドして画像を第一のプロンプトボックスの内に縮小され且つ画像が継続的に第一のプロンプトボックスの内に位置することが所定の時間長に達した場合、該画像が削除される。
【００６６】
フルスクリーンで表示の画像を削除する場合、ユーザは、縮小操作信号に対応の所定の軌跡でタッチしながらスライドし、その後スクリーンから離れることのみを行えば良い。或は、ユーザが縮小操作信号に対応する所定の軌跡でタッチしながらスライドし、その後、第一のプロンプトボックスの内に位置することを所定の時間長に保持するのみを行えば良い。操作が簡単、余計なボタン操作がなく、画像削除を便利に実現できる。
【００６７】
例を挙げて説明する。図３Ｃを参照する。図３Ｃは、その他の例示的な実施例で示した画像の削除の模式図である。図３Ｃにおいて、スクリーン上に第一のプロンプトボックス３１及び第二のプロンプトボックス３２（最初見えない）を設定し、スクリーン上においてフルスクリーンで画像３３が表示されている。画像３３がユーザの指にタッチされて第二のプロンプトボックス３２の内且つ第一のプロンプトボックス３１の外に縮小された場合、該画像３３が高輝度の効果で表示され、この時ユーザの指がスクリーンから離れると、提示情報を表示する。ユーザの指がスクリーンから離れず且つ継続的に画像３３を縮小し、画像３３が第一のプロンプトボックス３１内に縮小された場合、この時ユーザの指がスクリーンから離れると該画像３３が削除される。
【００６８】
以下を補足して説明すべきである。画像が削除された後、設定した第一のプロンプトボックス及び第二のプロンプトボックスが継続的に表示されなくても良いし、或は、ユーザが次の画像を誤削除することを回避するために、該第一のプロンプトボックス及び第二のプロンプトボックスを取り除いても良い。図３Ｃを参照する。図３Ｃにおいて、削除したのは画像３３であることを表明するために、画像３３が削除された後の図において、点線で表示した第一のプロンプトボックス３１及び第二のプロンプトボックス３２を保留する。実際の応用において、画像３３が削除された後、スクリーン上において第一のプロンプトボックス３１及び第二のプロンプトボックス３２を継続的に表示しない。
【００６９】
その他の可能な実現シーンにおいて、画像が第一のプロンプトボックスの内に縮小された場合、スクリーン上において削除提示情報をポップアップしても良い。該削除提示情報は、スクリーンのタッチ状態が被タッチ状態から未タッチ状態に変更される場合に画像を削除する或は所定の時間長後に画像を削除することを提示するためのものである。このように、削除提示情報は、ユーザに削除案内を提供し、ユーザに削除提示情報に従ってスクリーンから離れ、画像を削除する或は画像を第一のプロンプトボックスの内に所定の時間長で維持させた後、画像を削除するので、ユーザが画像を削除する場合、ユーザに対してより多い提示をすることが保証でき、ユーザに対してより多い選択を提供できる。従って、ユーザの使用体験を向上できる。
【００７０】
上記のように、本発明の実施例に提供した画像削除方法は、フルスクリーンで画像を表示する場合、同心の第一のプロンプトボックス及び第二のプロンプトボックスを設定し、画像が縮小されて第二のプロンプトボックスの内且つ第一のプロンプトボックスの外に位置する場合、たとえ削除条件を満たしたとしても、該画像を直接削除せず、画像が第一のプロンプトボックスの内に縮小され且つ削除条件を満たした時のみ、該画像が直接削除される。
【００７１】
画像がタッチされて第一のプロンプトボックスの内に縮小され且つ削除条件を満たした場合、該画像が削除される。画像の削除に関連する複数ボタンをクリックする必要がなく、画像を削除する場合、クリックする必要のあるボタンが多すぎ且つ各クリックの位置も異なることで生じた、操作が非常に煩雑となる技術課題を解決でき、極大的に操作の難度を低下させ、削除操作が簡単で操作し易く且つ有効的に誤操作率を低下させる効果を奏する。
【００７２】
本発明の実施例に提供した画像削除方法は、画像がそれぞれ第二のプロンプトボックスの外や、第二のプロンプトボックスの内且つ第一のプロンプトボックスの外、または第一のプロンプトボックスの内に位置する場合、それぞれ、異なる表示効果で画像を表示するので、画像がどの状態にあるかをユーザに便利に区分させることができ、削除態にある場合、画像を直接削除して良いので、有効的に誤操作率を低下することができる。
本発明の実施例に提供した画像削除方法は、画像が第一のプロンプトボックスの内に縮小された場合、削除提示情報をポップアップし、削除提示情報がスクリーンから離れると画像を削除する或は所定の時間長後に画像を削除することをユーザに提示するものである。
【００７３】
ユーザが該削除提示情報に基づいて継続的に画像を削除することを選択する。継続的に画像を削除しない場合、継続的にタッチを保持し或は画像を第一のプロンプトボックスの外に拡大して良い。これにより、ユーザが画像を削除する時、ユーザに対してより多い提示をすることが保証でき、ユーザに対してより多い選択を提供できるので、ユーザの使用体験を向上できる。
【００７４】
以下は、本発明の装置実施例であり、本発明の方法実施例を実行するための装置実施例である。本発明の装置実施例において言及しない詳細内容は、本発明の方法実施例を参照すれば良い。
【００７５】
図４は、例示的な実施例で示す画像削除装置のブロック図である。図４に示すように、該画像削除装置は、第一の設定モジュール４０２と、縮小モジュール４０４と、削除モジュール４０６とを備えるが、これに限定しない。
該第一の設定モジュール４０２は、フルスクリーンで画像を表示する場合、スクリーン上にスクリーンより面積が小さい第一のプロンプトボックスを設定する。
該縮小モジュール４０４は、縮小操作信号を受信し、スクリーン上に表示の画像を縮小する。縮小操作信号は、スクリーンが所定の軌跡でタッチされる時に生成した信号である。
【００７６】
該削除モジュール４０６は、画像が縮小モジュール４０４によって、第一の設定モジュール４０２が設定した第一のプロンプトボックスの内に縮小され且つ削除条件を満たした場合、画像を削除する。
上記のように、本発明の実施例に提供した画像削除装置は、画像が設定した第一のプロンプトボックスの内に縮小され且つ削除条件を満たした場合、該画像を削除する。これによって、画像がタッチされて第一のプロンプトボックスの内に縮小され且つユーザのタッチ指離がスクリーンから離れる場合、該画像が削除される。画像の削除に関連する各種ボタンをクリックする必要がなく、画像を削除する場合、クリックする必要のあるボタンが多すぎ且つ各クリックの位置も異なることで生じた、操作が非常に煩雑となる技術課題を解決でき、極大的に操作の難度を低下させ、削除操作が簡単で操作し易いという効果を奏する。
【００７７】
図５は、その他の例示的な実施例で示す画像削除装置のブロック図である。図５に示すように、該画像削除装置は、第一の設定モジュール５０２と、縮小モジュール５０４と、削除モジュール５０６とを備えるが、これに限らない。
該第一の設定モジュール５０２は、フルスクリーンで画像を表示する場合、スクリーン上にスクリーンより面積が小さい第一のプロンプトボックスを設定する。
該縮小モジュール５０４は、縮小操作信号を受信してスクリーン上に表示の画像を縮小する。縮小操作信号は、スクリーンが所定の軌跡でタッチされる時に生成した信号である。
【００７８】
該削除モジュール５０６は、画像が縮小モジュール５０４によって第一の設定モジュール５０２が設定した第一のプロンプトボックスの内に縮小され且つ削除条件を満たした場合、画像を削除する。
好ましい実施形態において、該画像削除装置は、第一の表示モジュール５０８及び第二の表示モジュール５１０を更に備える。
第一の表示モジュール５０８は、画像が第一のプロンプトボックスの外に位置する場合、画像の属性を通常態に設定し、第一の表示効果で画像を表示する。通常態は、属性が通常態である画像が削除禁止されることを指示するものである。
【００７９】
第二の表示モジュール５１０は、画像が第一のプロンプトボックスの内に縮小された場合、画像の属性を削除態に更新し、第二の表示効果で画像を表示する。削除態は、属性が削除態である画像が削除条件を満たした場合に直接削除されることを指示するためのものである。
【００８０】
好ましい実施形態において、第一の設定モジュール５０２は、検出サブモジュール５０２ａと設定サブモジュール５０２ｂとを備えて良い。
検出サブモジュール５０２ａは、画像が編集権限を有するか否かを検出する。
設定サブモジュール５０２ｂは、検出サブモジュール５０２ａの検出結果が、画像が編集権限を有することである場合、スクリーン上に第一のプロンプトボックスを設定する。
【００８１】
好ましい実施形態において、削除条件は、削除信号を受信したこと或は画像が第一のプロンプトボックスの内に縮小されてからの時間長が所定の時間長に達したことである。削除信号は、スクリーンのタッチ状態が被タッチ状態から未タッチ状態に変更される時に生成したものである。
好ましい実施形態において、該画像削除装置は、情報ポップアップモジュール５１２を更に備えて良い。
【００８２】
情報ポップアップモジュール５１２は、画像が縮小モジュール４０４によって第一の設定モジュール５０２が設定した第一のプロンプトボックスの内に縮小された場合、削除提示情報をポップアップする。削除提示情報は、スクリーンのタッチ状態が被タッチ状態から未タッチ状態に変更される場合、画像を削除する或は所定の時間長後画像を削除することを提示する情報である。
【００８３】
上記のように、本発明の実施例に提供した画像削除装置は、フルスクリーンで画像を表示する場合、第一のプロンプトボックスを設定し、画像が設定の第一のプロンプトボックスの内に縮小され且つ削除条件を満たした場合、該画像を削除する。画像がタッチされて第一のプロンプトボックスの内に縮小され且つユーザのタッチ指がスクリーンから離れる場合、該画像が削除されるので、画像の削除に関連する各種ボタンをクリックする必要がなく、画像を削除する場合、クリックする必要のあるボタンが多すぎ且つ各クリックの位置も異なることで生じた、操作が非常に煩雑となる技術課題を解決でき、極大的に操作の難度を低下させ、削除操作が簡単で操作し易い効果を奏する。
【００８４】
図６は、更にその他の例示的な実施例で示す画像削除装置のブロック図である。図６に示すように、該画像削除装置は、第一の設定モジュール６０２と、縮小モジュール６０４と、削除モジュール６０６とを備えるが、これに限らない。
該第一の設定モジュール６０２は、フルスクリーンで画像を表示する場合、スクリーン上にスクリーンより面積が小さい第一のプロンプトボックスを設定する。
該縮小モジュール６０４は、縮小操作信号を受信し、スクリーン上に表示の画像を縮小する。縮小操作信号は、スクリーンが所定の軌跡でタッチされる時に生成した信号である。
【００８５】
該削除モジュール６０６は、画像が縮小モジュール６０４によって第一の設定モジュール６０２が設定した第一のプロンプトボックスの内に縮小され且つ削除条件を満たした場合、画像を削除する。
好ましい実施形態において、該画像削除装置は、第二の設定モジュール６０８と、検出モジュール６１０と、表示モジュール６１２とを更に備えて良い。
【００８６】
第二の設定モジュール６０８は、第一の設定モジュール６０２がスクリーン上に第一のプロンプトボックスを設定する場合、スクリーン上に第二のプロンプトボックスを設定し、第二のプロンプトボックスと第一のプロンプトボックスは同心のプロンプトボックスであり、且つ第二のプロンプトボックスが第一のプロンプトボックスより大きい。
検出モジュール６１０は、画像が縮小操作信号に基づいて縮小された後、第二のプロンプトボックスの内に位置し且つ第一のプロンプトボックスの外に位置する場合、該画像が削除条件を満たしたか否かを検出する。
【００８７】
表示モジュール６１２は、検出モジュール６１０によって該画像削除条件を満たしたことを検出した場合、提示情報を表示する。提示情報は、画像を削除するかの選択をユーザに提示する情報である。
縮小モジュール６０４は、検出モジュール６１０によって画像が削除条件を満たしていないことを検出した場合、継続的にスクリーン上に表示の画像を縮小することを実行する。
【００８８】
好ましい実施形態において、該画像削除装置は、第三の表示モジュール６１４と、第四の表示モジュール６１６と第五の表示モジュール６１８とを備えて良い。
第三の表示モジュール６１４は、画像が第二のプロンプトボックスの外に位置する場合、画像の属性を通常態に設定し、第三の表示効果で画像を表示する。通常態は、属性が通常態である画像が削除禁止されることを指示するものである。
【００８９】
第四の表示モジュール６１６は、画像が縮小された後に第二のプロンプトボックスの内に位置し且つ第一のプロンプトボックスの外に位置する場合、画像の属性を削除直前態に更新し、第四の表示効果で画像を表示する。削除直前態は、属性が削除直前態である画像は削除条件を満たす場合に直接削除禁止されることを指示するものである。
第五の表示モジュール６１８は、画像が第一のプロンプトボックスの内に縮小された場合、画像の属性を削除態に更新し、第五の表示効果で画像を表示する。削除態は、属性が削除態である画像が削除条件を満たした場合に直接削除されることを指示するためのものである。
【００９０】
好ましい実施形態において、該第一の設定モジュール６０２は、検出サブモジュール６０２ａと設定サブモジュール６０２ｂとを備えて良い。
該  検出サブモジュール６０２ａは、画像が編集される権限を有するか否かを検出する。
該設定サブモジュール６０２ｂは、検出サブモジュール６０２ａの検出結果は画像が編集される権限を有することである場合、スクリーン上に第一のプロンプトボックスを設定する。
【００９１】
好ましい実施形態において、削除条件は、削除信号を受信したこと、或は画像が第一のプロンプトボックスの内に縮小されてからの時間長が所定の時間長に達したことである。削除信号は、スクリーンのタッチ状態が被タッチ状態から未タッチ状態に変更される時に生成したものである。
好ましい実施形態において、該画像削除装置は、情報ポップアップモジュール６２０とを更に備えても良い。
【００９２】
情報ポップアップモジュール６２０は、画像が縮小モジュール６０４によって第一の設定モジュール６０２が設定した第一のプロンプトボックスの内に縮小された場合、削除提示情報をポップアップする。削除提示情報は、スクリーンのタッチ状態が被タッチ状態から未タッチ状態に変更される場合、画像を削除する或は所定の時間長後に画像を削除することを提示する情報である。
【００９３】
上記のように、本発明の実施例に提供した画像削除装置は、フルスクリーンで画像を表示する場合、同心の第一のプロンプトボックス及び第二のプロンプトボックスを設定し、画像が第二のプロンプトボックスの内に縮小され且つ第一のプロンプトボックスの外に位置する場合、たとえ削除条件を満たしたとしても、該画像を直接削除せず、画像がタッチされて第一のプロンプトボックスの内に縮小され且つ削除条件を満たした時のみ、該画像が削除される。
【００９４】
画像がタッチされて第一のプロンプトボックスの内に縮小され且つユーザのタッチ指がスクリーンから離れると、該画像が削除されるので、画像の削除に関連する各種のボタンをクリックする必要がなく、画像を削除する場合、クリックする必要のあるボタンが多すぎ且つ各クリックの位置も異なることで生じた、操作が非常に煩雑となる技術課題を解決でき、極大的に操作の難度を低下させ、削除操作が簡単で操作し易く且つ有効的に誤操作率を低下させるという効果を奏する。
【００９５】
本発明の実施例に提供した画像削除装置は、画像それぞれが第二のプロンプトボックスの外や、第二のプロンプトボックスの内且つ第一のプロンプトボックスの外や、第一のプロンプトボックスの内に位置する場合、それぞれ異なる表示効果で画像を表示するので、画像がどの状態にあるかをユーザに便利に区分させることができ、削除態にある場合、画像を直接削除して良いので、有効的に誤操作率を低下することができる。
【００９６】
本発明の実施例に提供した画像削除装置は、画像が第一のプロンプトボックスの内に縮小された場合、削除提示情報をポップアップし、削除提示情報が、スクリーンから離れると、画像を削除する或は所定の時間長後に画像を削除することをユーザに提示する情報である。ユーザが該削除提示情報に基づいて画像を継続して削除するか否かを選択する。画像を継続して削除しない場合、継続的にタッチを保持し、或は画像を第一のプロンプトボックスの外に拡大して良い。これにより、ユーザが画像を削除する場合、ユーザに対してより多い提示をすることが保証でき、ユーザに対してより多い選択を提供できるので、ユーザの使用体験を向上できる。
【００９７】
上述実施例における装置について、各モジュールが操作を実行する具体的な方式は、既に該方法の実施例において詳細に描写したので、ここで、その詳細な説明を省略した。
本発明の示例性の実施例は、本発明が提供の画像削除方法を実現できる画像削除装置を提供した。該画像削除装置は、プロセッサと、プロセッサが実行可能なコマンドを記憶するメモリとを備え、プロセッサは、フルスクリーンで画像を表示する場合、スクリーン上にスクリーンより面積が小さい第一のプロンプトボックスを設定し、スクリーンが所定の軌跡でタッチされる時に生成した縮小操作信号を受信し、スクリーン上に表示の画像を縮小し、画像が第一のプロンプトボックスの内に縮小され且つ削除条件を満たした場合、画像を削除するように構成されている。
【００９８】
図７は、例示的な実施例で示す、画像を削除するための装置のブロック図である。例のように、装置７００は、携帯電話、コンピュータ、デジタル放送端末、メッセージ送受信デバイス、ゲーム制御台、タブレットデバイス、医療デバイス、ヘルスデバイス、パーソナルデジタルアシスタント等であっても良い。
【００９９】
図７を参照する。装置７００は、プロセッサアセンブリ７０２、メモリ７０４、電源アセンブリ７０６、マルチメディアアセンブリ７０８、オーディオアセンブリ７１０、入力／出力（Ｉ／Ｏ）のインターフェース７１２、センサーアセンブリ７１４、及び通信アセンブリ７１６の一つまたは複数のアセンブリを備えて良い。
【０１００】
プロセッサアセンブリ７０２は、一般的に装置７００の全体の操作を制御するものであり、例えば、表示、電話呼び出し、データ通信、カメラ操作、及び記録操作と関連する操作を制御する。プロセッサアセンブリ７０２は、一つまたは複数のプロセッサ７１８を含み、これらによって命令を実行することにより、上記の方法の全体、或は一部のステップを実現することができる。なお、プロセッサアセンブリ７０２は、一つまたは複数のモジュールを含み、これらによってプロセッサアセンブリ７０２と他のアセンブリの間のインタラクションを容易にするようにしてもよい。例えば、プロセッサアセンブリ７０２は、マルチメディアモジュールを含み、これらによってマルチメディアアセンブリ７０８とプロセッサアセンブリ７０２の間のインタラクションを容易にするようにしてもよい。
【０１０１】
メモリ７０４は、各種のデータを記憶することにより装置７００の操作を支援するように構成される。これらのデータの例は、装置７００において操作されるいずれのアプリケーションプログラム又は方法のコマンド、連絡対象データ、電話帳データ、メッセージ、画像、ビデオ等を含む。メモリ７０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、或いは光ディスクである。
【０１０２】
電源アセンブリ７０６は、装置７００の多様なアセンブリに電力を供給する。電源アセンブリ７０６は、電源管理システム、一つまたは複数の電源、及び装置７００のための電力の生成、管理及び割り当てに関連する他のアセンブリを含んでもよい。
【０１０３】
マルチメディアアセンブリ７０８は、装置７００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つまたは複数のタッチセンサーを含んでおり、タッチ、スライド、及びタッチパネル上のジェスチャを検出することができる。タッチセンサーは、タッチ、或はスライドの動作の境界だけでなく、前記のタッチ、或はスライド操作に係る継続時間及び圧力も検出できる。上記の実施例において、マルチメディアアセンブリ７０８は、一つのフロントカメラ、及び／又はリアーカメラを含む。装置７００が、例えば撮影モード、或はビデオモード等の操作モードにある場合、フロントカメラ、及び／又はリアーカメラは外部からマルチメディアデータを受信できる。フロントカメラとリアーカメラのそれぞれは、一つの固定型の光レンズ系、或は可変な焦点距離と光学ズーム機能を有するものであってもよい。
【０１０４】
オーディオアセンブリ７１０は、オーディオ信号を入力／出力するように構成される。例えば、オーディオアセンブリ７１０は、一つのマイク（ＭＩＣ）を含み、装置７００、例えば呼出しモード、記録モード、及び音声認識モード等の操作モードにある場合、マイクは外部のオーディオ信号を受信することができる。受信されたオーディオ信号は、さらにメモリ７０４に記憶されたり、通信アセンブリ７１６を介して送信されたりされる。上記の実施例において、オーディオアセンブリ７１０は、オーディオ信号を出力するための一つのスピーカーをさらに含む。
【０１０５】
Ｉ／Ｏインターフェイス７１２は、プロセッサアセンブリ７０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１０６】
センサアセンブリ７１４は、装置７００に各方面の状態に対する評価を提供するための一つ以上のセンサを含む。例えば、センサアセンブリ７１４は、装置７００のＯＮ／ＯＦＦ状態や、装置７００のディスプレイとキーパッドのようなアセンブリの相対的な位置決めを検出できる。また、センサアセンブリ７１４は、装置７００、或は装置７００の一つのアセンブリの位置変更、ユーザと装置７００とが接触しているか否か、装置７００の方位、又は加速／減速、装置７００の温度の変化を検出できる。センサアセンブリ７１４は、何れの物理的接触がない状態にて付近の物体の存在を検出するための近接センサを含んでもよい。センサアセンブリ７１４は、撮影アプリケーションに適用するため、ＣＭＯＳ、又はＣＣＤ画像センサのような光センサを含んでもよい。上記の実施例において、当該センサアセンブリ７１４は、加速度センサ、ジャイロスコープセンサ、磁気センサ、圧力センサ、及び温度センサをさらに含んでもよい。
【０１０７】
通信アセンブリ７１６は、装置７００と他の機器の間に有線、又は無線形態の通信を提供する。装置７００は、例えばＷｉＦｉ、２Ｇ、３Ｇ、或はこれらの組み合わせのような、通信規格に基づいた無線ネットワークに接続されてもよい。一つの例示的な実施例において、通信アセンブリ７１６は、放送チャンネルを介して外部の放送管理システムからの放送信号、又は放送に関連する情報を受信する。一つの例示的な実施例において、前記通信アセンブリ７１６は、近距離無線通信（ＮＦＣ）モジュールをさらに含むことにより、近距離通信を促進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【０１０８】
例示的な実施例において、装置７００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記画像削除方法を実行する。
例示的な実施例において、さらに、コマンドを含む非一時的なコンピュータで読み取り可能な記憶媒体、例えばコマンドを含むメモリ７０４を提供しており、装置７００のプロセッサ７１８により上記コマンドを実行して上記画像削除方法を実現する。例えば、前記非一時的なコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ（登録商標）ＲＯＭ）、磁気テープ、フロッピー（登録商標）ディスク、光データ記憶デバイス等である。
【０１０９】
当業者は、本明細書に開示された発明の詳細を考慮し、実施することにより、本発明の他の実施案を容易に想定することができる。本出願は、本発明のいかなる変形、用途、又は適応的な変化を含むことを目的としており、いかなる変形、用途、又は適応的な変化は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１１０】
本発明は、上記において開示された構成又は図面に示した構造に限定されるものではなく、本発明の範囲内であれば、様々な補正又は変更を行うことができると理解すべきである。本発明の範囲は、特許請求の範囲により制限される。
【０１１１】
本願は、出願番号がＣＮ２０１４１０５９２３１５．Ｘであり、出願日が２０１４年１０月２９日である中国特許出願に基づき提出し、該中国特許出願の優先権を主張する。ここで、該中国特許出願の全ての内容は、本願に組み込まれて参考とする。
【図１】
2017500677.tif 000003
【図２Ａ】
2017500677.tif 000004
【図２Ｂ】
2017500677.tif 000005
【図２Ｃ】
2017500677.tif 000006
【図２Ｄ】
2017500677.tif 000007
【図３Ａ】
2017500677.tif 000008
【図３Ｂ】
2017500677.tif 000009
【図３Ｃ】
2017500677.tif 000010
【図４】
2017500677.tif 000011
【図５】
2017500677.tif 000012
【図６】
2017500677.tif 000013
【図７】
2017500677.tif 000014
【手続補正書】
【提出日】平成27年5月25日(2015.5.25)
【手続補正１】
【補正対象書類名】特許請求の範囲
【補正対象項目名】全文
【補正方法】変更
【補正の内容】
【特許請求の範囲】
【請求項１】
フルスクリーンで画像を表示する場合、スクリーン上に前記スクリーンより面積が小さい第一のプロンプトボックスを設定し、
前記スクリーンが所定の軌跡でタッチされる時に生成される縮小操作信号を受信して、前記スクリーン上に表示の画像を縮小させ、
前記画像が前記第一のプロンプトボックス内に入るまで縮小され且つ削除条件を満たす場合、前記画像を削除する
ことを特徴とする画像削除方法。
【請求項２】
前記スクリーン上に前記第一のプロンプトボックスを設定する場合、前記スクリーン上に、前記第一のプロンプトボックスより大きく、且つ前記第一のプロンプトボックスとは同心である第二のプロンプトボックスを設定し、
前記画像が前記縮小操作信号に基づいて縮小された後に、前記第二のプロンプトボックスの内に位置し且つ前記第一のプロンプトボックスの外に位置する場合、前記画像が前記削除条件を満たすか否かを検出し、
前記画像が前記削除条件を満たしたことを検出した場合、前記画像を削除するか否かの選択をユーザに提示するための提示情報を表示し、
前記画像が前記削除条件を満たしていないことを検出した場合、前記スクリーン上に表示の画像を縮小することを継続的に実行することを更に含むことを特徴とする請求項１に記載の画像削除方法。
【請求項３】
前記画像が前記第一のプロンプトボックスの外に位置する場合、前記画像の属性を通常態に設定し、第一の表示効果で前記画像を表示し、
前記画像が前記第一のプロンプトボックスの内に縮小された場合、前記画像の属性を削除態に更新し、第二の表示効果で前記画像を表示することを更に含み、
前記通常態は、属性が前記通常態である画像が削除禁止されることを指示するものであり、
前記削除態は、属性が前記削除態である画像が前記削除条件を満たす場合に直接削除されることを指示するものである、
ことを特徴とする請求項１に記載の画像削除方法。
【請求項４】
前記画像が前記第二のプロンプトボックスの外に位置する場合、前記画像の属性を通常態に設定し、第三の表示効果で前記画像を表示し、
前記画像が縮小されて前記第二のプロンプトボックスの内に位置し且つ前記第一のプロンプトボックスの外に位置する場合、前記画像の属性を削除直前態に更新し、第四の表示効果で前記画像を表示し、
前記画像が前記第一のプロンプトボックスの内に縮小された場合、前記画像の属性を削除態に更新し、第五の表示効果で前記画像を表示することを更に含み、
前記通常態は、属性が前記通常態である画像が削除禁止されることを指示するものであり、
前記削除直前態は、属性が前記削除直前態である画像が前記削除条件を満たす場合に直接削除禁止されることを指示するものであり、
前記削除態は、属性が前記削除態である画像が前記削除条件を満たす場合に直接削除されることを指示するものである、
ことを特徴とする請求項２に記載の画像削除方法。
【請求項５】
前記スクリーン上に第一のプロンプトボックスを設定することは、
前記画像が、編集される権限を有するか否かを検出し、
検出結果として、前記画像が編集される権限を有する場合、前記スクリーン上において前記第一のプロンプトボックスを設定することを含むことを特徴とする請求項１に記載の画像削除方法。
【請求項６】
前記削除条件は、削除信号を受信したこと或は前記画像が前記第一のプロンプトボックスの内に縮小されてからの時間長が所定の時間長に達したことであり、
前記削除信号は、前記スクリーンのタッチ状態が被タッチ状態から未タッチ状態に変更された時に生成したものであることを特徴とする請求項１〜５の何れか１項に記載の画像削除方法。
【請求項７】
前記画像が前記第一のプロンプトボックスの内に縮小された場合、前記スクリーンのタッチ状態が被タッチ状態から未タッチ状態に変更された場合に前記画像を削除する或は前記所定の時間長の後に前記画像を削除することを提示する削除提示情報をポップアップすることを更に含むことを特徴とする請求項６に記載の画像削除方法。
【請求項８】
フルスクリーンで画像を表示する場合、スクリーン上に前記スクリーンより面積が小さい第一のプロンプトボックスを設定する第一の設定モジュールと、
前記スクリーンが所定の軌跡でタッチされる時に生成した縮小操作信号を受信し、前記スクリーン上に表示の画像を縮小する縮小モジュールと、
前記画像が、前記縮小モジュールによって前記画像が前記第一のプロンプトボックス内に入るまで縮小され且つ削除条件を満たす場合、前記画像を削除する削除モジュールとを、備えることを特徴とする画像削除装置。
【請求項９】
前記第一の設定モジュールが前記スクリーン上に前記第一のプロンプトボックスを設定する時、前記スクリーン上において前記第一のプロンプトボックスより大きく、且つ前記第一のプロンプトボックスとは同心である第二のプロンプトボックスを設定する第二の設定モジュールと、
前記画像が前記縮小操作信号に基づいて縮小された後に、前記第二のプロンプトボックスの内に位置し且つ前記第一のプロンプトボックスの外に位置する場合、前記画像が前記削除条件を満たしたか否かを検出する検出モジュールと、
前記検出モジュールは、前記画像が前記削除条件を満たしたことを検出した場合、前記画像を削除するか否かの選択をユーザに提示する提示情報を表示する表示モジュールとを、更に備え、
前記縮小モジュールは、前記検出モジュールによって前記画像が前記削除条件を満たしていないことを検出した場合、前記スクリーン上に表示の画像を縮小することを継続的に実行することを特徴とする請求項８に記載の画像削除装置。
【請求項１０】
前記画像が前記第一のプロンプトボックスの外に位置する場合、前記画像の属性を通常態に設定し、第一の表示効果で前記画像を表示する第一の表示モジュールと、
前記画像が前記第一のプロンプトボックスの内に縮小された場合、前記画像の属性を削除態に更新し、第二の表示効果で前記画像を表示する第二の表示モジュールとを更に備え、
前記通常態は、属性が前記通常態である画像が削除禁止されることを指示するものであり、
前記削除態は、属性が前記削除態である画像が前記削除条件を満たす場合に直接削除されることを指示するものである
ことを特徴とする請求項８に記載の画像削除装置。
【請求項１１】
前記画像が前記第二のプロンプトボックスの外に位置する場合、前記画像の属性を通常態に設定し、第三の表示効果で前記画像を表示する第三の表示モジュールと、
前記画像が縮小されて前記第二のプロンプトボックスの内に位置し且つ前記第一のプロンプトボックスの外に位置する場合、前記画像の属性を削除直前態に更新し、第四の表示効果で前記画像を表示する第四の表示モジュールと、
前記画像が前記第一のプロンプトボックスの内に縮小された場合、前記画像の属性を削除態に更新し、第五の表示効果で前記画像を表示する第五の表示モジュールとを、更に備え、
前記通常態は、属性が前記通常態である画像が削除禁止されることを指示するものであり、
前記削除直前態は、属性が前記削除直前態である画像が前記削除条件を満たす場合に直接削除禁止されることを指示するものであり、
削除態は、属性が前記削除態である画像が前記削除条件を満たす場合に直接削除されることを指示するものである、
ことを特徴とする請求項９に記載の画像削除装置。
【請求項１２】
前記第一の設定モジュールは、
前記画像が編集される権限を有するか否かを検出する検出サブモジュールと、
前記検出サブモジュールの検出結果として、前記画像が編集される権限を有する場合、前記スクリーン上に前記第一のプロンプトボックスを設定する設定サブモジュールとを備えることを特徴とする請求項８に記載の画像削除装置。
【請求項１３】
前記削除条件は、削除信号を受信したこと、或は前記画像が前記第一のプロンプトボックスの内に縮小されてからの時間長が所定の時間長に達したことであり、
前記削除信号は前記スクリーンのタッチ状態が被タッチ状態から未タッチ状態に変更された時に生成したものであることを特徴とする請求項８〜１２の何れか１項に記載の画像削除装置。
【請求項１４】
前記画像が、前記縮小モジュールによって前記第一の設定モジュールが設定した前記第一のプロンプトボックスの内に縮小された場合、前記スクリーンのタッチ状態が被タッチ状態から未タッチ状態に変更された場合に前記画像を削除すること或は前記所定の時間長後に前記画像を削除することを提示する削除提示情報をポップアップする情報ポップアップモジュールとを、更に備えることを特徴とする請求項１３に記載の画像削除装置。
【請求項１５】
プロセッサと、
プロセッサが実行可能なコマンドを記憶するメモリとを備え、
前記プロセッサは、
フルスクリーンで画像を表示する場合、スクリーン上に前記スクリーンより面積が小さい第一のプロンプトボックスを設定し、
前記スクリーンが所定の軌跡でタッチされる時に生成される縮小操作信号を受信して、前記スクリーン上に表示の画像を縮小させ、
前記画像が前記第一のプロンプトボックス内に入るまで縮小され且つ削除条件を満たす場合、前記画像を削除するように構成されていることを特徴とする画像削除装置。
【請求項１６】
プロセッサに実行されることにより、請求項１から請求項７のいずれかに記載の方法を実現することを特徴とするプログラム。
【請求項１７】
請求項１６に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本発明は、画像処理分野に関するものであり、特に画像削除方法、画像削除装置、プログラム及び記録媒体に関するものである。
【背景技術】
【０００２】
端末における画像ライブラリには、撮影或は収集した各種の画像を記憶しても良い。端末は、記憶空間の制限があるため、一般的に画像ライブラリ中の画像を選択的に削除する必要がある。
フルスクリーンで画像を見る際、メニューボタンは、一般的に全体が隠されている。画像を削除する時、ユーザは先ずスクリーン中心をクリックしてメニューボタンを呼び出し、その後メニューボタンにおける「削除」キーをクリックする。この時、端末が確認プロンプトボックスをポップアップする。ユーザは該プロンプトボックスにおける「確認」ボタンをクリックしてから、端末が現在のスクリーン上に表示の画像を削除する。
【発明の概要】
【発明が解決しようとする課題】
【０００３】
発明者は、本発明を実現する過程において、関連技術が少なくとも以下の欠点を有することを見出した。即ち、画像を削除する時、クリックする必要のボタンがあまり多く、且つ各クリックの位置も異なることで、操作が非常に煩雑となってしまう。
本発明は、関連技術において画像を削除する時、クリックする必要のあるボタンが多すぎ且つ各クリックの位置も異なることで生じた、操作が非常に煩雑である問題を解決するために、画像削除方法、画像削除装置、プログラム及び記録媒体を提供する。前記技術案は、以下の通りである。
【課題を解決するための手段】
【０００４】
本発明の実施例の第一の局面によれば、画像削除方法を提供した。前記方法は、
フルスクリーンで画像を表示する時、スクリーン上に前記スクリーンより面積が小さい第一のプロンプトボックスを設定し、前記スクリーンが所定の軌跡でタッチされる時に生成される縮小操作信号を受信して、前記スクリーン上に表示の画像を縮小させ、前記画像が前記第一のプロンプトボックス内に入るまで縮小され且つ削除条件を満たす場合、前記画像を削除することを含む。
【０００５】
前記方法は、前記スクリーン上に前記第一のプロンプトボックスを設定する時、前記スクリーン上に、前記第一のプロンプトボックスより大きく、且つ前記第一のプロンプトボックスとは同心である第二のプロンプトボックスを設定し、前記画像が前記縮小操作信号に基づいて縮小された後に、前記第二のプロンプトボックスの内に位置し且つ前記第一のプロンプトボックスの外に位置する時、前記画像が前記削除条件を満たすか否かを検出し、前記画像が前記削除条件を満たしたことを検出した場合、前記画像を削除するか否かの選択をユーザに提示するための提示情報を表示し、前記画像が前記削除条件を満たしていないことを検出した場合、前記スクリーン上に表示の画像を縮小することを継続的に実行することを更に含むことが好ましい。
【０００６】
前記方法は、通常態は、属性が前記通常態である画像が削除禁止されることを指示するものであり、前記画像が前記第一のプロンプトボックスの外に位置する時、前記画像の属性を前記通常態に設定し、第一の表示効果で前記画像を表示し、削除態は、属性が前記削除態である画像が前記削除条件を満たした時に直接削除されることを指示するものであり、前記画像が前記第一のプロンプトボックスの内に縮小された時、前記画像の属性を前記削除態に更新し、第二の表示効果で前記画像を表示することを更に含むことが好ましい。
【０００７】
前記方法は、通常態は、属性が前記通常態である画像が削除禁止されることを指示するものであり、前記画像が前記第二のプロンプトボックスの外に位置する時、前記画像の属性を前記通常態に設定し、第三の表示効果で前記画像を表示し、削除直前態は、属性が前記削除直前態である画像が前記削除条件を満たした時に直接削除禁止されることを指示するものであり、前記画像が縮小されて前記第二のプロンプトボックスの内に位置し且つ前記第一のプロンプトボックスの外に位置する時、前記画像の属性を前記削除直前態に更新し、第四の表示効果で前記画像を表示し、削除態は、属性が前記削除態である画像が前記削除条件を満たした時に直接削除されることを指示するものであり、前記画像が前記第一のプロンプトボックスの内に縮小された時、前記画像の属性を前記削除態に更新し、第五の表示効果で前記画像を表示することを更に含むことが好ましい。
前記スクリーン上に第一のプロンプトボックスを設定することは、前記画像が、編集される権限を有するか否かを検出し、検出結果は前記画像が編集される権限を有することである場合、前記スクリーン上において前記第一のプロンプトボックスを設定することを含むことが好ましい。
【０００８】
前記削除条件は、削除信号を受信したこと或は前記画像が前記第一のプロンプトボックスの内に縮小されてからの時間長が所定の時間長に達したことであり、前記削除信号は、前記スクリーンのタッチ状態が被タッチ状態から未タッチ状態に変更された時に生成したものであることが好ましい。
【０００９】
前記方法は、前記画像が前記第一のプロンプトボックスの内に縮小された時、前記スクリーンのタッチ状態が被タッチ状態から未タッチ状態に変更された時に前記画像を削除する或は前記所定の時間長の後に前記画像を削除することを提示する削除提示情報をポップアップすることを更に含むことが好ましい。
【００１０】
本発明の実施例の第二の局面によれば、画像削除装置を提供した。前記装置は、フルスクリーンで画像を表示する時、スクリーン上に前記スクリーンより面積が小さい第一のプロンプトボックスを設定する第一の設定モジュールと、前記スクリーンが所定の軌跡でタッチされる時に生成した縮小操作信号を受信し、前記スクリーン上に表示の画像を縮小する縮小モジュールと、前記画像が、前記縮小モジュールによって前記第一の設定モジュールが設定した第一のプロンプトボックスの内に縮小され且つ削除条件を満たした時、前記画像を削除する削除モジュールとを、備えることが好ましい。
【００１１】
前記装置は、前記第一の設定モジュールが前記スクリーン上に前記第一のプロンプトボックスを設定する時、前記スクリーン上において前記第一のプロンプトボックスより大きく且つ前記第一のプロンプトボックスとは同心である第二のプロンプトボックスを設定する第二の設定モジュールと、前記画像が前記縮小操作信号に基づいて縮小された後に、前記第二のプロンプトボックスの内に位置し且つ前記第一のプロンプトボックスの外に位置する時、前記画像が前記削除条件を満たしたか否かを検出する検出モジュールと、前記検出モジュールは、前記画像が前記削除条件を満たしたことを検出した時、前記画像を削除するか否かの選択をユーザに提示する提示情報を表示する表示モジュールとを、更に備え、前記縮小モジュールは、前記検出モジュールによって前記画像が前記削除条件を満たしていないことを検出した時、前記スクリーン上に表示の画像を縮小することを継続的に実行することが好ましい。
【００１２】
前記装置は、通常態は、属性が前記通常態である画像が削除禁止されることを指示するものであり、前記画像が前記第一のプロンプトボックスの外に位置する時、前記画像の属性を前記通常態に設定し、第一の表示効果で前記画像を表示する第一の表示モジュールと、削除態は、属性が前記削除態である画像が前記削除条件を満たした時に直接削除されることを指示するものであり、前記画像が前記第一のプロンプトボックスの内に縮小された時、前記画像の属性を前記削除態に更新し、第二の表示効果で前記画像を表示する第二の表示モジュールとを更に備えることが好ましい。
【００１３】
前記装置は、通常態は、属性が前記通常態である画像が削除禁止されることを指示するものであり、前記画像が前記第二のプロンプトボックスの外に位置する時、前記画像の属性を前記通常態に設定し、第三の表示効果で前記画像を表示する第三の表示モジュールと、削除直前態は、属性が前記削除直前態である画像が前記削除条件を満たした時に直接削除禁止されることを指示するものであり、前記画像が縮小されて前記第二のプロンプトボックスの内に位置し且つ前記第一のプロンプトボックスの外に位置する時、前記画像の属性を前記削除直前態に更新し、第四の表示効果で前記画像を表示する第四の表示モジュールと、削除態は、属性が前記削除態である画像が前記削除条件を満たした時に直接削除されることを指示するものであり、前記画像が前記第一のプロンプトボックスの内に縮小された時、前記画像の属性を前記削除態に更新し、第五の表示効果で前記画像を表示する第五の表示モジュールとを、更に備えることが好ましい。
【００１４】
前記第一の設定モジュールは、前記画像が編集される権限を有するか否かを検出する検出サブモジュールと、前記検出サブモジュールの検出結果は、前記画像が編集される権限を有することである時、前記スクリーン上に前記第一のプロンプトボックスを設定する設定サブモジュールとを備えることが好ましい。
【００１５】
前記削除条件は、削除信号を受信したこと、或は前記画像が前記第一のプロンプトボックスの内に縮小されてからの時間長が所定の時間長に達したことであり、前記削除信号は前記スクリーンのタッチ状態が被タッチ状態から未タッチ状態に変更された時に生成したものであることが好ましい。
【００１６】
前記装置は、前記画像が前記縮小モジュールによって前記第一の設定モジュールが設定した前記第一のプロンプトボックスの内に縮小された時、前記スクリーンのタッチ状態が被タッチ状態から未タッチ状態に変更された時に前記画像を削除すること或は前記所定の時間長後に前記画像を削除することを提示する削除提示情報をポップアップする情報ポップアップモジュールとを、更に備えることが好ましい。
【００１７】
本発明の実施例の第三の局面によれば、画像削除装置を提供した。前記装置は、プロセッサと、プロセッサが実行可能なコマンドを記憶するメモリとを備え、前記プロセッサは、フルスクリーンで画像を表示する時、スクリーン上に前記スクリーンより面積が小さい第一のプロンプトボックスを設定し、前記スクリーンが所定の軌跡でタッチされる時に生成される縮小操作信号を受信して、前記スクリーン上に表示の画像を縮小させ、前記画像が前記第一のプロンプトボックス内に入るまで縮小され且つ削除条件を満たす場合、前記画像を削除するように構成されている。
本発明のその他の局面は、
プロセッサに実行されることにより、前記方法を実現することを特徴とするプログラムを提供する。
本発明のその他の局面は、
前記プログラムが記録された記録媒体を提供する。
【発明の効果】
【００１８】
本発明の実施例が提供した技術案は、以下の有益な効果を奏する。
画像が、設定した第一のプロンプトボックスの内に縮小され且つ削除条件を満たした時、該画像を削除し、画像がタッチされて第一のプロンプトボックスの内に縮小され且つ削除条件を満たした時、該画像が削除されることによって、画像の削除に関連する複数ボタンをクリックする必要がなく、画像を削除する時、クリックする必要のあるボタンが多すぎ且つ各クリックの位置も異なることで生じた、操作が非常に煩雑となる技術課題を解決でき、極大的に操作の難度を低下させ、削除操作が簡単になり、操作し易くなるという効果を奏する。
上記の説明および後述の詳細な説明は、単なる例示のみであり、本発明を限定するものではないことを理解すべきである。
【図面の簡単な説明】
【００１９】
ここでの図面は明細書に組み込まれて明細書の一部を構成し、本発明に適合する実施例を示し、明細書と共に本発明の原理の解釈に用いられる。
【図１】例示的な実施例で示す画像削除方法のフローチャートである。
【図２Ａ】その他の例示的な実施例で示す画像削除方法のフローチャートである。
【図２Ｂ】例示的な実施例で示すスクリーン上に設定した第一のプロンプトボックスの模式図である。
【図２Ｃ】例示的な実施例で示す縮小操作信号の生成時の操作の模式図である。
【図２Ｄ】例示的な実施例で示す画像削除の模式図である。
【図３Ａ】更にその他の例示的な実施例で示す画像削除方法のフローチャートである。
【図３Ｂ】例示的な実施例で示すスクリーン上に設定した第一のプロンプトボックス及び第二のプロンプトボックスの模式図である。
【図３Ｃ】その他の例示的な実施例で示す画像削除の模式図である。
【図４】例示的な実施例で示す画像削除装置のブロック図である。
【図５】その他の例示的な実施例で示す画像削除装置のブロック図である。
【図６】更にその他の例示的な実施例で示す画像削除装置のブロック図である。
【図７】例示的な実施例で示す、画像を削除するための装置のブロック図である。
【発明を実施するための形態】
【００２０】
ここで、図面に示された例示的な実施例を詳細に説明する。以下の記載において、図面を言及するとき、特に説明しない限り、異なる図面における同じ番号が同一または同等の要素を示す。以下の例示的な実施例に記載の実施の形態は、本発明と一致するあらゆる実施の形態を代表するわけではない。逆に、それらは、添付された特許請求の範囲に詳細に記載される、本発明の一部の局面と一致する装置及び方法の例にすぎない。
【００２１】
図１は、例示的な実施例で示す画像削除方法のフローチャートである。図１に示すように、該画像削除方法は、以下のステップを含む。
ステップ１０１において、フルスクリーンで画像を表示する時、スクリーン上に、スクリーンより面積が小さい第一のプロンプトボックスを設定する。
通常、第一のプロンプトボックスは、スクリーン上に表示された画像の後に存在しても良い。該第一のプロンプトボックスは、該フルスクリーンで表示の画像の後に存在するため、スクリーンにおいて見られないことになっている。
【００２２】
ステップ１０２において、縮小操作信号を受信し、スクリーン上に表示の画像を縮小する。縮小操作信号は、スクリーンが所定の軌跡でタッチされる時に生成した信号である。
所定の軌跡は、プリセットした軌跡である。例えば、同時にタッチされる時に生成した二つの接触点が互いに近づく時に生成した軌跡であっても良いし、第一の接触点の位置が不変で第二の接触点が第一の接触点に近づく時に生成した軌跡であっても良い。
ステップ１０３において、画像が第一のプロンプトボックスの内に縮小され且つ、削除条件を満たした場合、画像が削除される。
【００２３】
上記のように、本発明の実施例に提供した画像削除方法は、画像が、設定した第一のプロンプトボックスの内に縮小され且つ削除条件を満たした場合、該画像を削除することによって、画像がタッチされて第一のプロンプトボックスの内に縮小され且つ削除条件を満たした場合、該画像が削除されるので、画像削除に関わる複数のボタンをクリックする必要もなく、画像を削除する時にクリックする必要のあるボタンが多すぎ且つ各クリックの位置も異なることで生じた、操作が非常に煩雑となる技術課題を解決でき、極大的に操作の難度を低下させ、削除操作が簡単になり操作し易い効果を奏する。
【００２４】
画像削除の実現シーンにおいて、スクリーン上に一つのプロンプトボックスのみを設定し、画像が該プロンプトボックスに縮小され且つ削除条件を満たした場合に、該画像が直接削除される。具体的には、図２Ａにおける描写を参照する。
図２Ａは、その他の例示的な実施例で示す画像削除方法のフローチャートである。図２Ａに示すように、該画像削除方法は、以下のステップを含む。
ステップ２０１において、フルスクリーンで画像を表示する時、画像が編集される権限を有するか否かを検出する。
【００２５】
画像がフルスクリーンで表示され且つ編集されることが可能である時、該画像に対して縮小や移動等の操作が行えることを意味する。
ステップ２０２において、検出結果は、画像が編集される権限を有することである場合、スクリーン上にスクリーンより面積が小さい第一のプロンプトボックスを設定する。
第一のプロンプトボックスは、画像を削除する条件として、その面積が一般的にスクリーンの面積より小さい。
通常、第一のプロンプトボックスがフルスクリーンに表示の画像より小さく、スクリーン上に表示の画像の後に存在する。該第一のプロンプトボックスは、該フルスクリーンに表示の画像の後にあるため、スクリーンにおいて見られない。
【００２６】
図２Ｂを参照する。図２Ｂは例示的な実施例で示す、スクリーン上に設定した第一のプロンプトボックスの模式図である。図２Ｂにおいて、点線が示すボックスは、第一のプロンプトボックス２１であり、該点線は、該第一のプロンプトボックス２１がフルスクリーン画像２２（画像２２及び第一のプロンプトボックス２１との位置関係を便利に表明するため、画像２２における画素内容を省略した）の後にあることを示し、この時に第一のプロンプトボックス２１が見られない。第一のプロンプトボックス２１の面積がスクリーンの面積より小さいことが明らかである。
【００２７】
実際の実現時、画像の形状は、通常長方形であるため、第一のプロンプトボックスの形状が長方形でも良い。第一のプロンプトボックスの形状は、楕円形、多角形等であっても良いことが言うまでもない。本実施例は、第一のプロンプトボックスの形状を具体的に限定しない。
第一のプロンプトボックスは、スクリーンの中心位置に設定され、即ち、第一のプロンプトボックスの中心位置が第一のスクリーンの中心位置と重ねることが好ましい。第一のプロンプトボックスは、スクリーンの中心位置に位置しなくても良い。本実施例は、第一のプロンプトボックスの具体位置を限定しない。
【００２８】
ステップ２０３において、画像が第一のプロンプトボックスの外に位置する場合、画像の属性を通常態に設定し、第一の表示効果で画像を表示する。通常態は、属性が通常態である画像が削除禁止されることを指示するものである。
第一の表示効果は、任意に設定されて良い。該第一の表示効果は、画像が編集状態下でのデフォルトの表示効果であることが好ましい。本発明は、第一の表示効果を具体的に限定しない。
【００２９】
画像が編集可能且つ第一のプロンプトボックスの外に位置する場合、画像の属性を通常態に設定し、通常態下、該画像は禁止削除され、即ち、通常態は、属性が通常態である画像が削除禁止されることを指示するものである。つまり、該画像が第一のプロンプトボックスの外に位置し、且つ編集されることが可能である場合、ユーザが該画像を操作し、且つユーザの指がスクリーンから離れ、或は画像がその他の削除条件を満たした場合、該画像を削除せずに、デフォルトの操作を実行する。
【００３０】
ステップ２０４において、縮小操作信号を受信し、スクリーン上に表示の画像を縮小する。縮小操作信号は、スクリーンが所定の軌跡でタッチされる時に生成した信号である。
縮小操作信号は、ユーザがスクリーン上において所定の軌跡でタッチする時に生成したものである。実際の応用において、縮小操作信号は、ユーザの二指がスクリーン上において所定の軌跡でタッチする時に生成した信号であっても良い。
例えば、縮小操作信号は、ユーザの二指がスクリーン上において対向へスライドしてタッチする時に生成した信号であっても良い、即ち、ユーザが二指で同時にスクリーンをタッチし、且つ二つの指がスクリーンにタッチする接触点間の距離がますます近づく。図２Ｃを参照する。図２Ｃは例示的な実施例で示す縮小操作信号の生成時の操作模式図である。図２Ｃにおいて、二指は、スクリーンにタッチし且つタッチ状態で対向移動する。
【００３１】
明らかに、縮小操作信号は、ユーザが一指、三指、四指等を用いてスクリーン上においてその他の所定の軌跡でタッチする時に生成したものであっても良い。本発明は、縮小操作信号の生成方法を限定しない。
ステップ２０５において、画像が第一のプロンプトボックスの内に縮小された場合、画像の属性を削除態に更新し、第二の表示効果で画像を表示する。削除態は、属性が削除態である画像が削除条件を満たした場合に直接削除されることを指示するためのものである。
削除条件は、削除信号を受信したこと、或は、画像が第一のプロンプトボックスの内に縮小されてからの時間長が所定の時間長に達したことである。
【００３２】
ここで、削除信号は、スクリーンのタッチ状態が被タッチ状態から未タッチ状態に変更される時に生成したものである。換言すれば、画像の縮小過程において、スクリーンのタッチ状態は、ずっと被タッチ状態となっているので、削除信号は、ユーザの指がタッチされるスクリーンから離れる時に生成したものである。
画像が縮小操作信号に従って第一のプロンプトボックスの内に縮小する場合、画像の属性を削除態に更新する。削除態は、属性が削除態である画像が削除条件を満たした場合に直接削除されることを指示するためのものであるので、削除態下で削除条件を満たす場合に画像を直接削除することが許可する。
【００３３】
ユーザに該画像の属性が削除態であることを便利に知らせるために、削除態下での画像は第二の表示効果で表示して良い。例えば、高輝度或はぼやけの効果で削除態の画像を表示する。このように、ユーザが第二の表示効果で表示された画像に基づいて画像を削除するか否かを確定できる。
ユーザに何時画像を削除して良いことを便利に区分させるために、第一の表示効果及び第二の表示効果は、一般的に二種の異なる表示効果である。例えば、第一の表示効果はデフォルトの表示効果で、第二の表示効果は、高輝度版或はぼやけ版の表示効果である。
【００３４】
ステップ２０６において、画像が第一のプロンプトボックスの内に縮小され且つ削除条件を満たした場合、画像が削除される。
即ち、画像が第一のプロンプトボックスの内に縮小され且つユーザの指がスクリーンタッチからスクリーン離れ（即ち、スクリーンのタッチ状態が、被タッチ状態から未タッチ状態に変更される）、或は、画像が第一のプロンプトボックスの内に縮小されてからの時間長が所定の時間長に達した場合、電子デバイスが画像削除条件を満たすことを確定し、この時画像を削除する。
【００３５】
上記から分かるように、ユーザが一つのフルスクリーン表示の画像を削除しようとする場合、二指がタッチしながらスライドすることによって、画像を第一のプロンプトボックスの内に縮小し、その後、ユーザの二指がスクリーンから離れ、該画像が削除される。或は、ユーザは、二指がタッチしながらスライドし、画像を第一のプロンプトボックスの内に縮小し、且つ、画像が第一のプロンプトボックスの内に継続的に保持する時間長は所定の時間長に達した場合、該画像が削除される。フルスクリーン表示の画像を削除する場合、ユーザが縮小操作信号に対応する所定の軌跡でタッチしながらスライドし、その後スクリーンから離れることのみをすれば良い、或はユーザが縮小操作信号に対応する所定の軌跡でタッチしながらスライドし、その後第一のプロンプトボックスの内に所定の時間長を保持することのみをすれば良いので、操作が簡単で、余計なボタン操作がなく、画像削除を実現するのに便利である。
【００３６】
例を挙げて説明する。依然として図２Ｂを参照する。図２Ｂに示すように、スクリーン上に第一のプロンプトボックス２１を設定し（この時見られないので、点線で表示）、スクリーン上で画像２２をフルスクリーン表示し、画像２２がユーザの指でタッチされて第一のプロンプトボックス２１内に縮小される場合、図２Ｄを参照して図２Ｄに示すように、この場合、第一のプロンプトボックス２１が見られるようになり、該画像２２が高輝度の効果で表示され、この場合、ユーザの指がスクリーンから離れ、或は画像２２を第一のプロンプトボックス２１内に維持する時間長が所定の時間長に達した場合、該画像２２が削除される。
【００３７】
以下は、補足説明すべきである。即ち、画像が削除された後、設定した第一のプロンプトボックスは、継続的に表示されなくても良い、或はユーザが次の画像を誤削除することを回避するため、該第一のプロンプトボックスを取り除いても良い。
【００３８】
その他の実現可能なシーンにおいて、画像が第一のプロンプトボックスの内に縮小された場合、スクリーン上に削除提示情報をポップアップしても良い。該削除提示情報は、スクリーンのタッチ状態が被タッチ状態から未タッチ状態に変更される場合に画像を削除すること或は所定の時間長後に画像を削除することを提示する情報である。このように、削除提示情報は、ユーザに削除案内を提供し、ユーザに削除提示情報に従ってスクリーンから離れさせて画像を削除させ、或は画像が第一のプロンプトボックスの内に所定の時間長を維持させた後、画像を削除するので、ユーザが画像を削除する場合、ユーザに対してより多い提示をすることが保証でき、ユーザに対してより多い選択を提供できる。従って、ユーザの使用体験を向上できる。
【００３９】
上記のように、本発明の実施例に提供した画像削除方法は、フルスクリーンで画像を表示する場合、第一のプロンプトボックスを設定し、画像が設定した第一のプロンプトボックスの内に縮小され且つ削除条件を満たした場合、該画像を削除する。これによって、画像がタッチされて第一のプロンプトボックスの内に縮小され且つ削除条件を満たした場合、該画像が削除されるので、画像削除に関連する複数ボタンをクリックする必要がなく、画像を削除する場合、クリックする必要のあるボタンが多すぎ且つ各クリックの位置も異なることで生じた、操作が非常に煩雑となる技術課題を解決でき、極大的に操作の難度を低下させ、削除操作が簡単になり操作し易い効果を奏する。
【００４０】
可能な実施形態において、電子デバイスは、画像が所定の倍数に拡大されたか否かを検出しても良い。画像が所定の倍数に拡大されたことを検出した場合、該画像が削除される。つまり、ユーザが画像を削除しようとする場合、画像を拡大させ、画像が元画像の所定の倍数に拡大された後、該画像を直接削除する。
【００４１】
電子デバイスは、画像が所定の倍数に拡大されたか否かを検出し、画像が所定の倍数に拡大された場合、削除条件を満たしたかを検出することが好ましい。ここでの削除条件は、削除信号を受信したこと或は画像が該所定の倍数に保持される時間長が所定の時間長に達したことである。削除信号は、依然として、スクリーンのタッチ状態が被タッチ状態から未タッチ状態に変更される時に生成したものである。
【００４２】
その他の画像削除の実現シーンにおいて、スクリーン上には二つの同心のプロンプトボックスを設定し、画像が比較的に大きいプロンプトボックスの内に縮小され且つ比較的に小さいプロンプトボックスの外に位置する場合、例え削除条件を満たしたとしても、該画像を直接削除しないが、画像が該比較的に小さいプロンプトボックスに縮小され且つ削除条件を満たした場合、該画像を直接削除する。具体的には、図３Ａにおける描写を参照すれば良い。
【００４３】
図３Ａは、更にその他の例示的な実施例で示す画像削除方法のフローチャートである。図３Ａに示すように、該画像削除方法は、以下のステップを含む。
ステップ３０１において、フルスクリーンで画像を表示する場合、画像が編集権限を有するかを検出する。
画像がフルスクリーン表示され且つ編集され可能である場合、該画像に対して縮小、移動等操作を行えることを表明する。
ステップ３０２において、検出結果は、画像が編集権限を有することである場合、スクリーン上に第一のプロンプトボックスと第二のプロンプトボックスとを設定する。
ここで、第一のプロンプトボックスの面積は、スクリーンの面積より小さいと設定し、第二のプロンプトボックスと第一のプロンプトボックスは同心のプロンプトボックスであり且つ第二のプロンプトボックスが第一のプロンプトボックスより大きい。
【００４４】
通常、第一のプロンプトボックス及び第二のプロンプトボックスともはフルスクリーン表示の画像より小さく、スクリーン上に表示された画像の後にあり、該第一のプロンプトボックス及び第二のプロンプトボックスは、最初時全てが該フルスクリーン表示の画像の後にあるので、スクリーンにおいて見られない。
【００４５】
図３Ｂを参照する。図３Ｂは例示的な実施例で示す、スクリーン上に設定した第一のプロンプトボックス及び第二のプロンプトボックスの模式図である。図３Ｂにおいて、点線で表示されるボックスそれぞれは第一のプロンプトボックス３１及び第二のプロンプトボックス３２であり、点線は、該第一のプロンプトボックス３１及び第二のプロンプトボックス３２がフルスクリーン画像３３（画像３３と第一のプロンプトボックス３１、第二のプロンプトボックス３２との位置関係を表明するのに便利になるために、画像３３における画素内容を省略した）の後にあり、この時第一のプロンプトボックス３１及び第二のプロンプトボックス３２とは見られない。
【００４６】
第二のプロンプトボックス３２と第一のプロンプトボックス３１は同心のプロンプトボックスであり、第二のプロンプトボックス３２の面積が第一のプロンプトボックス３１の面積より大きく且つ第二のプロンプトボックス３２の面積がスクリーンの面積より小さいことが明らかである。
【００４７】
実際の実現の場合、画像の形状は一般的に長方形であるので、第一のプロンプトボックス及び第二のプロンプトボックスの形状ともは、長方形であっても良い。明らかに、第一のプロンプトボックス及び第二のプロンプトボックスの形状も共に楕円形、多角形等であっても良い。本実施例においては第一のプロンプトボックス及び第二のプロンプトボックスの形状を具体的に限定しない。
【００４８】
第一のプロンプトボックス及び第二のプロンプトボックスが同心のプロンプトボックスであるので第一のプロンプトボックス及び第二のプロンプトボックスの形状は同じであることを説明すべきである。明らかに、第一のプロンプトボックス及び第二のプロンプトボックスを同心のプロンプトボックスに設定するのは、画像が第二のプロンプトボックスの内に位置し且つ第一のプロンプトボックスの内に位置する状態を保証できることを目的とするので、第一のプロンプトボックス及び第二のプロンプトボックスの形状が異なって良い。画像が、縮小される場合に第二のプロンプトボックスの内に位置し且つ第一のプロンプトボックスの内に位置することがさえ保証できれば良い。
【００４９】
第一のプロンプトボックス、第二のプロンプトボックスは、スクリーンの中心位置に設定して良い。即ち、第一のプロンプトボックス、第二のプロンプトボックスの中心位置共に第一のスクリーンの中心位置と重ねる。勿論、第一のプロンプトボックス、第二のプロンプトボックスは、スクリーンの中心位置に位置しなくても良い。本実施例においては、第一のプロンプトボックス、第二のプロンプトボックスの具体位置を限定しない。
【００５０】
ステップ３０３において、画像が第二のプロンプトボックスの外に位置する場合、画像の属性を通常態に設定し、第三の表示効果で画像を表示する。通常態は、属性が通常態である画像が削除禁止されることを指示するものである。
第三の表示効果は任意に設定しても良い。該第三の表示効果は、画像が編集状態下でのデフォルトの表示効果であっても良い。本発明は、第三の表示効果を具体的に限定しない。
【００５１】
画像が編集可能であり且つ第二のプロンプトボックスの外に位置する場合、画像の属性を通常態に設定し、通常態下では、該画像の削除を禁止する。即ち、通常態は、属性が通常態である画像が削除禁止されることを指示するものである。つまり、該画像が第二のプロンプトボックスの外に位置し且つ編集可能である場合、ユーザが該画像を操作し且つユーザの指がスクリーンから離れる或は画像がその他の削除条件を満たした場合、該画像を削除せずにデフォルトの操作を実行する。
【００５２】
ステップ３０４において、縮小操作信号を受信し、スクリーン上に表示の画像を縮小する。縮小操作信号はスクリーンが所定の軌跡でタッチされる時に生成した信号である。
縮小操作信号は、ユーザがスクリーン上において所定の軌跡でタッチする時に生成したものである。実際の応用において、縮小操作信号は、ユーザの二指がスクリーン上において所定の軌跡でタッチする時に生成したものであって良い。
【００５３】
例えば、縮小操作信号は、ユーザの二指がスクリーン上において対向スライドしてタッチする時に生成したものである。即ち、ユーザが二つの指を用いて同時にスクリーンをタッチし且つ二つの指がスクリーン上にタッチした接触点間の距離がますます近づく時に生成する。図２Ｃを参照すれば良いので、ここでその記載を省略した。
明らかに、縮小操作信号は、ユーザが一指、三指、四指等を用いてスクリーン上においてその他の所定の軌跡でタッチする時に生成したものであっても良い。本発明は、縮小操作信号の生成方法を限定しない。
【００５４】
ステップ３０５において、画像が縮小操作信号に基づいて縮小された後、第二のプロンプトボックスの内に位置し且つ第一のプロンプトボックスの外に位置する場合、画像の属性を削除直前態に更新し、第四の表示効果で画像を表示する。削除直前態は、属性が削除直前態である画像が削除条件を満たす場合に直接削除禁止されることを指示するものである。
削除条件は、削除信号を受信したこと或は画像が第一のプロンプトボックスの内に縮小されてからの時間長が所定の時間長に達したことである。
【００５５】
ここで、削除信号はスクリーンのタッチ状態が被タッチ状態から未タッチ状態に変更される時に生成したものである。換言すれば、画像の縮小過程において、スクリーンのタッチ状態は、ずっと被タッチ状態であるので、削除信号は、ユーザの指がスクリーンをタッチしてスクリーンから離れる時に生成したものである。
該画像の属性が削除直前態であることをユーザに便利に知らせるため、削除直前態下での画像を、第四の表示効果で表示し、例えば、高輝度或はぼやけの効果で削除直前態の画像を表示する。
【００５６】
これは、ユーザの誤操作を回避するために、操作信号に基づいて画像が縮小された後、第二のプロンプトボックスの内に位置し且つ第一のプロンプトボックスの外に位置する場合、画像の属性を削除直前態に更新し、削除直前態下で、たとえ画像削除条件を満たしたとしても、画像を直接削除できない。
ステップ３０６において、画像が削除条件を満たしたか否かを検出する。
【００５７】
画像が操作信号に基づいて縮小された後、第二のプロンプトボックスの内に位置し且つ第一のプロンプトボックスの外に位置する場合、削除条件を満たしたか否かを検出する。即ち、画像が第二のプロンプトボックスの内に位置し且つ第一のプロンプトボックスの外に位置する場合、この場合、ユーザの指がスクリーンから離れたかを検出する、或は該画像が第二のプロンプトボックスの内に位置し且つ第一のプロンプトボックスの外に位置する時間長が所定の時間長に達したかを検出する。
【００５８】
ステップ３０７において、画像が削除条件を満たしたことを検出した場合、提示情報を表示する。提示情報は、画像を削除するかの選択をユーザに提示する情報である。
画像が第二のプロンプトボックスの内に位置し且つ第一のプロンプトボックスの外に位置する場合、削除条件を満たしたことを検出した場合、提示情報が表示される。即ち、画像が第二のプロンプトボックスの内に位置し且つ第一のプロンプトボックスの外に位置する場合、この時の画像の属性は、削除直前態であり、もし画像削除条件を満たすなら、即ち、ユーザの指がスクリーンから離れる或は該画像が第二のプロンプトボックスの内に位置し且つ第一のプロンプトボックスの外に位置することを所定の時間長に維持した場合、提示情報が表示される。
【００５９】
つまり、画像が第二のプロンプトボックスの内に位置し且つ第一のプロンプトボックスの外に位置する場合、たとえユーザの指がスクリーンから離れて或は第二のプロンプトボックスの内に位置し且つ第一のプロンプトボックスの外に位置することを所定の時間長に維持したとしても、画像が直接削除されないので、ユーザの誤操作を回避できる。
ユーザは、提示情報に基づいて画像を削除するかの選択を行っても良い。
【００６０】
画像が縮小された後、第二のプロンプトボックスの内に位置し、第一のプロンプトボックスの外に位置し且つ画像削除条件を満たした場合、提示情報をポップアップすることが好ましい。該提示情報は、該画像を削除するかの選択をユーザに提示する情報である。ユーザが該画像の削除を選択した時の削除コマンドを受信した場合、該画像が削除される。
【００６１】
ステップ３０８において、画像が削除条件を満たしないことを検出した場合、スクリーン上において選択された画像を継続的に縮小する。
画像が第二のプロンプトボックスの内に位置し且つ第一のプロンプトボックスの外に位置する場合、画像が削除条件を満たせず、例えば、削除信号を受信せず且つこの時依然として縮小操作信号を受信した場合、継続的にスクリーン上において選択された画像を縮小する。
【００６２】
ステップ３０９において、画像が第一のプロンプトボックスの内に縮小された場合、画像の属性を削除態に更新し、第五の表示効果で画像を表示する。削除態は、属性が削除態である画像が削除条件を満たす場合に直接削除されることを指示するものである。
画像が縮小操作信号に従って第一のプロンプトボックスの内に縮小された場合、画像の属性を削除態に更新し、削除態下で画像削除条件を満たす場合に該画像を直接削除することが許可される。
【００６３】
該画像の属性が削除態であることをユーザに便利に知らせるために、削除態下での画像を第五の表示効果で表示して良い、例えば、第四の表示効果より高い高輝度或はよりぼやけの効果で削除態の画像を表示する。このようにユーザが第五の表示効果で表示された画像に基づいて、画像を削除するか否かを確定できる。
ステップ３１０において、画像が第一のプロンプトボックスの内に縮小され且つ削除条件を満たした場合、画像を削除する。
【００６４】
即ち、画像が第一のプロンプトボックスの内に縮小され且つユーザの指がスクリーンをタッチしてスクリーンから離れる場合、電子デバイスが削除条件を満たすことを確定し、この時画像を削除する。或は、画像が第一のプロンプトボックスの内に縮小され且つ画像が該第一のプロンプトボックスの内に位置することを所定の時間長で維持した場合、電子デバイスが削除条件を満たすのを確定し、この時画像を削除する。
【００６５】
上記から分かるように、ユーザが一つのフルスクリーンで表示される画像を削除しようとする場合、二指でタッチしながらスライドして画像を第一のプロンプトボックスの内に縮小され、その後、ユーザの二指がスクリーンから離れた場合、該画像が削除される。或は、ユーザが二指でタッチしながらスライドして画像を第一のプロンプトボックスの内に縮小され且つ画像が継続的に第一のプロンプトボックスの内に位置することが所定の時間長に達した場合、該画像が削除される。
【００６６】
フルスクリーンで表示の画像を削除する場合、ユーザは、縮小操作信号に対応の所定の軌跡でタッチしながらスライドし、その後スクリーンから離れることのみを行えば良い。或は、ユーザが縮小操作信号に対応する所定の軌跡でタッチしながらスライドし、その後、第一のプロンプトボックスの内に位置することを所定の時間長に保持するのみを行えば良い。操作が簡単、余計なボタン操作がなく、画像削除を便利に実現できる。
【００６７】
例を挙げて説明する。図３Ｃを参照する。図３Ｃは、その他の例示的な実施例で示した画像の削除の模式図である。図３Ｃにおいて、スクリーン上に第一のプロンプトボックス３１及び第二のプロンプトボックス３２（最初見えない）を設定し、スクリーン上においてフルスクリーンで画像３３が表示されている。画像３３がユーザの指にタッチされて第二のプロンプトボックス３２の内且つ第一のプロンプトボックス３１の外に縮小された場合、該画像３３が高輝度の効果で表示され、この時ユーザの指がスクリーンから離れると、提示情報を表示する。ユーザの指がスクリーンから離れず且つ継続的に画像３３を縮小し、画像３３が第一のプロンプトボックス３１内に縮小された場合、この時ユーザの指がスクリーンから離れると該画像３３が削除される。
【００６８】
以下を補足して説明すべきである。画像が削除された後、設定した第一のプロンプトボックス及び第二のプロンプトボックスが継続的に表示されなくても良いし、或は、ユーザが次の画像を誤削除することを回避するために、該第一のプロンプトボックス及び第二のプロンプトボックスを取り除いても良い。図３Ｃを参照する。図３Ｃにおいて、削除したのは画像３３であることを表明するために、画像３３が削除された後の図において、点線で表示した第一のプロンプトボックス３１及び第二のプロンプトボックス３２を保留する。実際の応用において、画像３３が削除された後、スクリーン上において第一のプロンプトボックス３１及び第二のプロンプトボックス３２を継続的に表示しない。
【００６９】
その他の可能な実現シーンにおいて、画像が第一のプロンプトボックスの内に縮小された場合、スクリーン上において削除提示情報をポップアップしても良い。該削除提示情報は、スクリーンのタッチ状態が被タッチ状態から未タッチ状態に変更される場合に画像を削除する或は所定の時間長後に画像を削除することを提示するためのものである。このように、削除提示情報は、ユーザに削除案内を提供し、ユーザに削除提示情報に従ってスクリーンから離れ、画像を削除する或は画像を第一のプロンプトボックスの内に所定の時間長で維持させた後、画像を削除するので、ユーザが画像を削除する場合、ユーザに対してより多い提示をすることが保証でき、ユーザに対してより多い選択を提供できる。従って、ユーザの使用体験を向上できる。
【００７０】
上記のように、本発明の実施例に提供した画像削除方法は、フルスクリーンで画像を表示する場合、同心の第一のプロンプトボックス及び第二のプロンプトボックスを設定し、画像が縮小されて第二のプロンプトボックスの内且つ第一のプロンプトボックスの外に位置する場合、たとえ削除条件を満たしたとしても、該画像を直接削除せず、画像が第一のプロンプトボックスの内に縮小され且つ削除条件を満たした時のみ、該画像が直接削除される。
【００７１】
画像がタッチされて第一のプロンプトボックスの内に縮小され且つ削除条件を満たした場合、該画像が削除される。画像の削除に関連する複数ボタンをクリックする必要がなく、画像を削除する場合、クリックする必要のあるボタンが多すぎ且つ各クリックの位置も異なることで生じた、操作が非常に煩雑となる技術課題を解決でき、極大的に操作の難度を低下させ、削除操作が簡単で操作し易く且つ有効的に誤操作率を低下させる効果を奏する。
【００７２】
本発明の実施例に提供した画像削除方法は、画像がそれぞれ第二のプロンプトボックスの外や、第二のプロンプトボックスの内且つ第一のプロンプトボックスの外、または第一のプロンプトボックスの内に位置する場合、それぞれ、異なる表示効果で画像を表示するので、画像がどの状態にあるかをユーザに便利に区分させることができ、削除態にある場合、画像を直接削除して良いので、有効的に誤操作率を低下することができる。
本発明の実施例に提供した画像削除方法は、画像が第一のプロンプトボックスの内に縮小された場合、削除提示情報をポップアップし、削除提示情報がスクリーンから離れると画像を削除する或は所定の時間長後に画像を削除することをユーザに提示するものである。
【００７３】
ユーザが該削除提示情報に基づいて継続的に画像を削除することを選択する。継続的に画像を削除しない場合、継続的にタッチを保持し或は画像を第一のプロンプトボックスの外に拡大して良い。これにより、ユーザが画像を削除する時、ユーザに対してより多い提示をすることが保証でき、ユーザに対してより多い選択を提供できるので、ユーザの使用体験を向上できる。
【００７４】
以下は、本発明の装置実施例であり、本発明の方法実施例を実行するための装置実施例である。本発明の装置実施例において言及しない詳細内容は、本発明の方法実施例を参照すれば良い。
【００７５】
図４は、例示的な実施例で示す画像削除装置のブロック図である。図４に示すように、該画像削除装置は、第一の設定モジュール４０２と、縮小モジュール４０４と、削除モジュール４０６とを備えるが、これに限定しない。
該第一の設定モジュール４０２は、フルスクリーンで画像を表示する場合、スクリーン上にスクリーンより面積が小さい第一のプロンプトボックスを設定する。
該縮小モジュール４０４は、縮小操作信号を受信し、スクリーン上に表示の画像を縮小する。縮小操作信号は、スクリーンが所定の軌跡でタッチされる時に生成した信号である。
【００７６】
該削除モジュール４０６は、画像が縮小モジュール４０４によって、第一の設定モジュール４０２が設定した第一のプロンプトボックスの内に縮小され且つ削除条件を満たした場合、画像を削除する。
上記のように、本発明の実施例に提供した画像削除装置は、画像が設定した第一のプロンプトボックスの内に縮小され且つ削除条件を満たした場合、該画像を削除する。これによって、画像がタッチされて第一のプロンプトボックスの内に縮小され且つユーザのタッチ指離がスクリーンから離れる場合、該画像が削除される。画像の削除に関連する各種ボタンをクリックする必要がなく、画像を削除する場合、クリックする必要のあるボタンが多すぎ且つ各クリックの位置も異なることで生じた、操作が非常に煩雑となる技術課題を解決でき、極大的に操作の難度を低下させ、削除操作が簡単で操作し易いという効果を奏する。
【００７７】
図５は、その他の例示的な実施例で示す画像削除装置のブロック図である。図５に示すように、該画像削除装置は、第一の設定モジュール５０２と、縮小モジュール５０４と、削除モジュール５０６とを備えるが、これに限らない。
該第一の設定モジュール５０２は、フルスクリーンで画像を表示する場合、スクリーン上にスクリーンより面積が小さい第一のプロンプトボックスを設定する。
該縮小モジュール５０４は、縮小操作信号を受信してスクリーン上に表示の画像を縮小する。縮小操作信号は、スクリーンが所定の軌跡でタッチされる時に生成した信号である。
【００７８】
該削除モジュール５０６は、画像が縮小モジュール５０４によって第一の設定モジュール５０２が設定した第一のプロンプトボックスの内に縮小され且つ削除条件を満たした場合、画像を削除する。
好ましい実施形態において、該画像削除装置は、第一の表示モジュール５０８及び第二の表示モジュール５１０を更に備える。
第一の表示モジュール５０８は、画像が第一のプロンプトボックスの外に位置する場合、画像の属性を通常態に設定し、第一の表示効果で画像を表示する。通常態は、属性が通常態である画像が削除禁止されることを指示するものである。
【００７９】
第二の表示モジュール５１０は、画像が第一のプロンプトボックスの内に縮小された場合、画像の属性を削除態に更新し、第二の表示効果で画像を表示する。削除態は、属性が削除態である画像が削除条件を満たした場合に直接削除されることを指示するためのものである。
【００８０】
好ましい実施形態において、第一の設定モジュール５０２は、検出サブモジュール５０２ａと設定サブモジュール５０２ｂとを備えて良い。
検出サブモジュール５０２ａは、画像が編集権限を有するか否かを検出する。
設定サブモジュール５０２ｂは、検出サブモジュール５０２ａの検出結果が、画像が編集権限を有することである場合、スクリーン上に第一のプロンプトボックスを設定する。
【００８１】
好ましい実施形態において、削除条件は、削除信号を受信したこと或は画像が第一のプロンプトボックスの内に縮小されてからの時間長が所定の時間長に達したことである。削除信号は、スクリーンのタッチ状態が被タッチ状態から未タッチ状態に変更される時に生成したものである。
好ましい実施形態において、該画像削除装置は、情報ポップアップモジュール５１２を更に備えて良い。
【００８２】
情報ポップアップモジュール５１２は、画像が縮小モジュール４０４によって第一の設定モジュール５０２が設定した第一のプロンプトボックスの内に縮小された場合、削除提示情報をポップアップする。削除提示情報は、スクリーンのタッチ状態が被タッチ状態から未タッチ状態に変更される場合、画像を削除する或は所定の時間長後画像を削除することを提示する情報である。
【００８３】
上記のように、本発明の実施例に提供した画像削除装置は、フルスクリーンで画像を表示する場合、第一のプロンプトボックスを設定し、画像が設定の第一のプロンプトボックスの内に縮小され且つ削除条件を満たした場合、該画像を削除する。画像がタッチされて第一のプロンプトボックスの内に縮小され且つユーザのタッチ指がスクリーンから離れる場合、該画像が削除されるので、画像の削除に関連する各種ボタンをクリックする必要がなく、画像を削除する場合、クリックする必要のあるボタンが多すぎ且つ各クリックの位置も異なることで生じた、操作が非常に煩雑となる技術課題を解決でき、極大的に操作の難度を低下させ、削除操作が簡単で操作し易い効果を奏する。
【００８４】
図６は、更にその他の例示的な実施例で示す画像削除装置のブロック図である。図６に示すように、該画像削除装置は、第一の設定モジュール６０２と、縮小モジュール６０４と、削除モジュール６０６とを備えるが、これに限らない。
該第一の設定モジュール６０２は、フルスクリーンで画像を表示する場合、スクリーン上にスクリーンより面積が小さい第一のプロンプトボックスを設定する。
該縮小モジュール６０４は、縮小操作信号を受信し、スクリーン上に表示の画像を縮小する。縮小操作信号は、スクリーンが所定の軌跡でタッチされる時に生成した信号である。
【００８５】
該削除モジュール６０６は、画像が縮小モジュール６０４によって第一の設定モジュール６０２が設定した第一のプロンプトボックスの内に縮小され且つ削除条件を満たした場合、画像を削除する。
好ましい実施形態において、該画像削除装置は、第二の設定モジュール６０８と、検出モジュール６１０と、表示モジュール６１２とを更に備えて良い。
【００８６】
第二の設定モジュール６０８は、第一の設定モジュール６０２がスクリーン上に第一のプロンプトボックスを設定する場合、スクリーン上に第二のプロンプトボックスを設定し、第二のプロンプトボックスと第一のプロンプトボックスは同心のプロンプトボックスであり、且つ第二のプロンプトボックスが第一のプロンプトボックスより大きい。
検出モジュール６１０は、画像が縮小操作信号に基づいて縮小された後、第二のプロンプトボックスの内に位置し且つ第一のプロンプトボックスの外に位置する場合、該画像が削除条件を満たしたか否かを検出する。
【００８７】
表示モジュール６１２は、検出モジュール６１０によって該画像削除条件を満たしたことを検出した場合、提示情報を表示する。提示情報は、画像を削除するかの選択をユーザに提示する情報である。
縮小モジュール６０４は、検出モジュール６１０によって画像が削除条件を満たしていないことを検出した場合、継続的にスクリーン上に表示の画像を縮小することを実行する。
【００８８】
好ましい実施形態において、該画像削除装置は、第三の表示モジュール６１４と、第四の表示モジュール６１６と第五の表示モジュール６１８とを備えて良い。
第三の表示モジュール６１４は、画像が第二のプロンプトボックスの外に位置する場合、画像の属性を通常態に設定し、第三の表示効果で画像を表示する。通常態は、属性が通常態である画像が削除禁止されることを指示するものである。
【００８９】
第四の表示モジュール６１６は、画像が縮小された後に第二のプロンプトボックスの内に位置し且つ第一のプロンプトボックスの外に位置する場合、画像の属性を削除直前態に更新し、第四の表示効果で画像を表示する。削除直前態は、属性が削除直前態である画像は削除条件を満たす場合に直接削除禁止されることを指示するものである。
第五の表示モジュール６１８は、画像が第一のプロンプトボックスの内に縮小された場合、画像の属性を削除態に更新し、第五の表示効果で画像を表示する。削除態は、属性が削除態である画像が削除条件を満たした場合に直接削除されることを指示するためのものである。
【００９０】
好ましい実施形態において、該第一の設定モジュール６０２は、検出サブモジュール６０２ａと設定サブモジュール６０２ｂとを備えて良い。
該  検出サブモジュール６０２ａは、画像が編集される権限を有するか否かを検出する。
該設定サブモジュール６０２ｂは、検出サブモジュール６０２ａの検出結果は画像が編集される権限を有することである場合、スクリーン上に第一のプロンプトボックスを設定する。
【００９１】
好ましい実施形態において、削除条件は、削除信号を受信したこと、或は画像が第一のプロンプトボックスの内に縮小されてからの時間長が所定の時間長に達したことである。削除信号は、スクリーンのタッチ状態が被タッチ状態から未タッチ状態に変更される時に生成したものである。
好ましい実施形態において、該画像削除装置は、情報ポップアップモジュール６２０とを更に備えても良い。
【００９２】
情報ポップアップモジュール６２０は、画像が縮小モジュール６０４によって第一の設定モジュール６０２が設定した第一のプロンプトボックスの内に縮小された場合、削除提示情報をポップアップする。削除提示情報は、スクリーンのタッチ状態が被タッチ状態から未タッチ状態に変更される場合、画像を削除する或は所定の時間長後に画像を削除することを提示する情報である。
【００９３】
上記のように、本発明の実施例に提供した画像削除装置は、フルスクリーンで画像を表示する場合、同心の第一のプロンプトボックス及び第二のプロンプトボックスを設定し、画像が第二のプロンプトボックスの内に縮小され且つ第一のプロンプトボックスの外に位置する場合、たとえ削除条件を満たしたとしても、該画像を直接削除せず、画像がタッチされて第一のプロンプトボックスの内に縮小され且つ削除条件を満たした時のみ、該画像が削除される。
【００９４】
画像がタッチされて第一のプロンプトボックスの内に縮小され且つユーザのタッチ指がスクリーンから離れると、該画像が削除されるので、画像の削除に関連する各種のボタンをクリックする必要がなく、画像を削除する場合、クリックする必要のあるボタンが多すぎ且つ各クリックの位置も異なることで生じた、操作が非常に煩雑となる技術課題を解決でき、極大的に操作の難度を低下させ、削除操作が簡単で操作し易く且つ有効的に誤操作率を低下させるという効果を奏する。
【００９５】
本発明の実施例に提供した画像削除装置は、画像それぞれが第二のプロンプトボックスの外や、第二のプロンプトボックスの内且つ第一のプロンプトボックスの外や、第一のプロンプトボックスの内に位置する場合、それぞれ異なる表示効果で画像を表示するので、画像がどの状態にあるかをユーザに便利に区分させることができ、削除態にある場合、画像を直接削除して良いので、有効的に誤操作率を低下することができる。
【００９６】
本発明の実施例に提供した画像削除装置は、画像が第一のプロンプトボックスの内に縮小された場合、削除提示情報をポップアップし、削除提示情報が、スクリーンから離れると、画像を削除する或は所定の時間長後に画像を削除することをユーザに提示する情報である。ユーザが該削除提示情報に基づいて画像を継続して削除するか否かを選択する。画像を継続して削除しない場合、継続的にタッチを保持し、或は画像を第一のプロンプトボックスの外に拡大して良い。これにより、ユーザが画像を削除する場合、ユーザに対してより多い提示をすることが保証でき、ユーザに対してより多い選択を提供できるので、ユーザの使用体験を向上できる。
【００９７】
上述実施例における装置について、各モジュールが操作を実行する具体的な方式は、既に該方法の実施例において詳細に描写したので、ここで、その詳細な説明を省略した。
本発明の示例性の実施例は、本発明が提供の画像削除方法を実現できる画像削除装置を提供した。該画像削除装置は、プロセッサと、プロセッサが実行可能なコマンドを記憶するメモリとを備え、プロセッサは、フルスクリーンで画像を表示する場合、スクリーン上にスクリーンより面積が小さい第一のプロンプトボックスを設定し、スクリーンが所定の軌跡でタッチされる時に生成した縮小操作信号を受信し、スクリーン上に表示の画像を縮小し、画像が第一のプロンプトボックスの内に縮小され且つ削除条件を満たした場合、画像を削除するように構成されている。
【００９８】
図７は、例示的な実施例で示す、画像を削除するための装置のブロック図である。例のように、装置７００は、携帯電話、コンピュータ、デジタル放送端末、メッセージ送受信デバイス、ゲーム制御台、タブレットデバイス、医療デバイス、ヘルスデバイス、パーソナルデジタルアシスタント等であっても良い。
【００９９】
図７を参照する。装置７００は、プロセッサアセンブリ７０２、メモリ７０４、電源アセンブリ７０６、マルチメディアアセンブリ７０８、オーディオアセンブリ７１０、入力／出力（Ｉ／Ｏ）のインターフェース７１２、センサーアセンブリ７１４、及び通信アセンブリ７１６の一つまたは複数のアセンブリを備えて良い。
【０１００】
プロセッサアセンブリ７０２は、一般的に装置７００の全体の操作を制御するものであり、例えば、表示、電話呼び出し、データ通信、カメラ操作、及び記録操作と関連する操作を制御する。プロセッサアセンブリ７０２は、一つまたは複数のプロセッサ７１８を含み、これらによって命令を実行することにより、上記の方法の全体、或は一部のステップを実現することができる。なお、プロセッサアセンブリ７０２は、一つまたは複数のモジュールを含み、これらによってプロセッサアセンブリ７０２と他のアセンブリの間のインタラクションを容易にするようにしてもよい。例えば、プロセッサアセンブリ７０２は、マルチメディアモジュールを含み、これらによってマルチメディアアセンブリ７０８とプロセッサアセンブリ７０２の間のインタラクションを容易にするようにしてもよい。
【０１０１】
メモリ７０４は、各種のデータを記憶することにより装置７００の操作を支援するように構成される。これらのデータの例は、装置７００において操作されるいずれのアプリケーションプログラム又は方法のコマンド、連絡対象データ、電話帳データ、メッセージ、画像、ビデオ等を含む。メモリ７０４は、いずれの種類の揮発性メモリ、不揮発性メモリ記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（Ｐｒｏｇｒａｍｍａｂｌｅ  ＲＯＭ）、ＲＯＭ（Ｒｅａｄ  Ｏｎｌｙ  Ｍｅｍｏｒｙ）、磁気メモリ、フラッシュメモリ、磁気ディスク、或いは光ディスクである。
【０１０２】
電源アセンブリ７０６は、装置７００の多様なアセンブリに電力を供給する。電源アセンブリ７０６は、電源管理システム、一つまたは複数の電源、及び装置７００のための電力の生成、管理及び割り当てに関連する他のアセンブリを含んでもよい。
【０１０３】
マルチメディアアセンブリ７０８は、装置７００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つまたは複数のタッチセンサーを含んでおり、タッチ、スライド、及びタッチパネル上のジェスチャを検出することができる。タッチセンサーは、タッチ、或はスライドの動作の境界だけでなく、前記のタッチ、或はスライド操作に係る継続時間及び圧力も検出できる。上記の実施例において、マルチメディアアセンブリ７０８は、一つのフロントカメラ、及び／又はリアーカメラを含む。装置７００が、例えば撮影モード、或はビデオモード等の操作モードにある場合、フロントカメラ、及び／又はリアーカメラは外部からマルチメディアデータを受信できる。フロントカメラとリアーカメラのそれぞれは、一つの固定型の光レンズ系、或は可変な焦点距離と光学ズーム機能を有するものであってもよい。
【０１０４】
オーディオアセンブリ７１０は、オーディオ信号を入力／出力するように構成される。例えば、オーディオアセンブリ７１０は、一つのマイク（ＭＩＣ）を含み、装置７００、例えば呼出しモード、記録モード、及び音声認識モード等の操作モードにある場合、マイクは外部のオーディオ信号を受信することができる。受信されたオーディオ信号は、さらにメモリ７０４に記憶されたり、通信アセンブリ７１６を介して送信されたりされる。上記の実施例において、オーディオアセンブリ７１０は、オーディオ信号を出力するための一つのスピーカーをさらに含む。
【０１０５】
Ｉ／Ｏインターフェイス７１２は、プロセッサアセンブリ７０２と周辺インターフェイスモジュールの間にインターフェイスを提供するものであり、上記周辺インターフェイスモジュールは、キーボード、クリックホイール、ボタン等であってもよい。これらのボタンは、ホームボタン、ボリュームボタン、起動ボタン、ロッキングボタンを含んでもよいが、これらに限定されない。
【０１０６】
センサアセンブリ７１４は、装置７００に各方面の状態に対する評価を提供するための一つ以上のセンサを含む。例えば、センサアセンブリ７１４は、装置７００のＯＮ／ＯＦＦ状態や、装置７００のディスプレイとキーパッドのようなアセンブリの相対的な位置決めを検出できる。また、センサアセンブリ７１４は、装置７００、或は装置７００の一つのアセンブリの位置変更、ユーザと装置７００とが接触しているか否か、装置７００の方位、又は加速／減速、装置７００の温度の変化を検出できる。センサアセンブリ７１４は、何れの物理的接触がない状態にて付近の物体の存在を検出するための近接センサを含んでもよい。センサアセンブリ７１４は、撮影アプリケーションに適用するため、ＣＭＯＳ、又はＣＣＤ画像センサのような光センサを含んでもよい。上記の実施例において、当該センサアセンブリ７１４は、加速度センサ、ジャイロスコープセンサ、磁気センサ、圧力センサ、及び温度センサをさらに含んでもよい。
【０１０７】
通信アセンブリ７１６は、装置７００と他の機器の間に有線、又は無線形態の通信を提供する。装置７００は、例えばＷｉＦｉ、２Ｇ、３Ｇ、或はこれらの組み合わせのような、通信規格に基づいた無線ネットワークに接続されてもよい。一つの例示的な実施例において、通信アセンブリ７１６は、放送チャンネルを介して外部の放送管理システムからの放送信号、又は放送に関連する情報を受信する。一つの例示的な実施例において、前記通信アセンブリ７１６は、近距離無線通信（ＮＦＣ）モジュールをさらに含むことにより、近距離通信を促進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術、他の技術に基づいて実現できる。
【０１０８】
例示的な実施例において、装置７００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記画像削除方法を実行する。
例示的な実施例において、さらに、コマンドを含む非一時的なコンピュータで読み取り可能な記憶媒体、例えばコマンドを含むメモリ７０４を提供しており、装置７００のプロセッサ７１８により上記コマンドを実行して上記画像削除方法を実現する。例えば、前記非一時的なコンピュータで読み取り可能な記憶媒体は、ＲＯＭ、ＲＡＭ（Ｒａｎｄｏｍ−Ａｃｃｅｓｓ  Ｍｅｍｏｒｙ）、ＣＤ−ＲＯＭ（Ｃｏｍｐａｃｔ  Ｄｉｓｃ （登録商標）  ＲＯＭ）、磁気テープ、フロッピー（登録商標）ディスク、光データ記憶デバイス等である。
【０１０９】
当業者は、本明細書に開示された発明の詳細を考慮し、実施することにより、本発明の他の実施案を容易に想定することができる。本出願は、本発明のいかなる変形、用途、又は適応的な変化を含むことを目的としており、いかなる変形、用途、又は適応的な変化は、本発明の一般原理に基づいて、且つ本開示において公開されていない本技術分野においての公知常識又は慣用技術手段を含む。明細書及び実施例は、例示的なものを開示しており、本発明の保護範囲と主旨は、特許請求の範囲に記述される。
【０１１０】
本発明は、上記において開示された構成又は図面に示した構造に限定されるものではなく、本発明の範囲内であれば、様々な補正又は変更を行うことができると理解すべきである。本発明の範囲は、特許請求の範囲により制限される。
【０１１１】
本願は、出願番号がＣＮ２０１４１０５９２３１５．Ｘであり、出願日が２０１４年１０月２９日である中国特許出願に基づき提出し、該中国特許出願の優先権を主張する。ここで、該中国特許出願の全ての内容は、本願に組み込まれて参考とする。
【国際調査報告】
2017500677.tif 000015
2017500677.tif 000016
2017500677.tif 000017
2017500677.tif 000018